(57)【要約】  端末装置（１０１）は、第１セル（１１１）および第２セル（１２１）に接続し、第１セル（１１１）に設定された第１ベアラによって通信を行う。基地局装置（１２０）は、端末装置（１０１）における第１セル（１１１）の無線品質が第１所定値を下回ると第１ベアラを複製した第２ベアラを第２セル（１２１）に設定する。また、基地局装置（１２０）は、端末装置（１０１）における第１セル（１１１）の無線品質が第１所定値より低い第２所定値を下回ると、端末装置（１０１）の通信のベアラを第１ベアラから第２ベアラに切り替える。
2015177846.tif 000002
【特許請求の範囲】
【請求項１】
第１セルおよび第２セルに接続し前記第１セルに設定された第１ベアラによって通信を行う端末装置における測定結果を示す測定報告を取得する取得部と、
前記取得部によって取得された前記測定報告に基づいて、前記測定報告が第１条件を満たすと前記第１ベアラを複製した第２ベアラを前記第２セルに設定し、前記測定報告が前記第１条件とは異なる第２条件を満たすと前記端末装置の通信のベアラを前記第１ベアラから前記第２ベアラに切り替える制御部と、
を備えることを特徴とする基地局装置。
【請求項２】
前記取得部が取得する前記端末装置からの測定報告には、前記端末装置における前記第１セルの無線品質に関する情報が含まれており、
前記制御部は、前記無線品質が第１所定値を下回ると前記第１ベアラを複製した第２ベアラを前記第２セルに設定し、前記無線品質が前記第１所定値より低い第２所定値を下回ると前記端末装置の通信のベアラを前記第１ベアラから前記第２ベアラに切り替える、
ことを特徴とする請求項１に記載の基地局装置。
【請求項３】
前記取得部が取得する前記端末装置からの測定報告には、前記第１セルに設定された前記第１ベアラによって通信を行う端末装置の移動速度に関する情報、および前記端末装置における前記第１セルの無線品質に関する情報が含まれており、
前記制御部は、前記移動速度が所定速度を上回ると前記第１ベアラを複製した第２ベアラを前記第２セルに設定し、前記無線品質が所定値を下回ると前記端末装置の通信のベアラを前記第１ベアラから前記第２ベアラに切り替える、
ことを特徴とする請求項１に記載の基地局装置。
【請求項４】
前記制御部は、
前記無線品質が前記第１所定値を下回ると、前記第１セルが前記第１ベアラで前記端末装置へ送信するデータの複製データを前記第１セルの基地局装置から前記第２セルの基地局装置へ送信させ、前記第２セルの基地局に前記複製データをバッファリングさせ、
前記無線品質が前記第２所定値を下回ると、前記複製データを前記第２ベアラで前記第２セルの基地局装置から前記端末装置へ送信させる、
ことを特徴とする請求項２に記載の基地局装置。
【請求項５】
前記制御部は、前記端末装置の通信のベアラを前記第２ベアラに切り替えた後に、前記第２セルの基地局に対して、他の通信装置から受信した前記端末装置へのデータをバッファリングしながら前記複製データを前記第２ベアラで送信させ、前記複製データの送信が完了した後に、バッファリングした前記端末装置へのデータを前記第２ベアラで送信させることを特徴とする請求項４に記載の基地局装置。
【請求項６】
前記制御部は、前記端末装置の通信のベアラを前記第２ベアラに切り替えた後に、前記複製データのうちの、前記無線品質が前記第２所定値を下回っていなかった時点までの複製データを前記第２ベアラで前記端末装置へ送信させることを特徴とする請求項４または５に記載の基地局装置。
【請求項７】
前記制御部は、前記無線品質が前記第１所定値を下回り前記第２所定値を下回っていない場合は、前記第２セルの基地局がバッファリングしている前記複製データを削除させることを特徴とする請求項６に記載の基地局装置。
【請求項８】
前記制御部は、前記無線品質が前記第１所定値を下回った後に前記第１所定値以上の第３所定値を上回ると、前記第２ベアラを削除することを特徴とする請求項２、４〜７のいずれか一つに記載の基地局装置。
【請求項９】
前記制御部は、前記無線品質が前記第１所定値を下回った後に前記第１所定値以上の第３所定値を上回ると、前記第１セルの基地局装置から前記第２セルの基地局装置への前記複製データの送信を停止させることを特徴とする請求項４〜７のいずれか一つに記載の基地局装置。
【請求項１０】
前記基地局装置は前記第２セルの基地局装置であることを特徴とする請求項１〜９のいずれか一つに記載の基地局装置。
【請求項１１】
第１セルおよび第２セルに接続し前記第１セルに設定された第１ベアラによって通信を行う端末装置と、
前記端末装置における測定結果が第１条件を満たすと前記第１ベアラを複製した第２ベアラを前記第２セルに設定し、前記測定結果が前記第１条件とは異なる第２条件を満たすと前記端末装置の通信のベアラを前記第１ベアラから前記第２ベアラに切り替える基地局装置と、
を含むことを特徴とするシステム。
【発明の詳細な説明】
【技術分野】
【０００１】
本発明は、基地局装置およびシステムに関する。
【背景技術】
【０００２】
従来、ＬＴＥ（Ｌｏｎｇ  Ｔｅｒｍ  Ｅｖｏｌｕｔｉｏｎ）などの通信システムが知られている。また、移動機のハンドオーバ時に予め切替先のベアラを設定する技術が知られている（たとえば、下記特許文献１参照。）。また、移動機がアイドル状態からアクティブ状態に遷移する際に、アクセスするセルを事前に選択する技術が知られている（たとえば、下記特許文献２参照。）。
【先行技術文献】
【特許文献】
【０００３】
【特許文献１】特開２０１３−２２３２１８号公報
【特許文献２】国際公開第２００８／０２３６０９号
【発明の概要】
【発明が解決しようとする課題】
【０００４】
しかしながら、上述した従来技術では、たとえばスモールセルからマクロセルへのハンドオーバなどのセル切替に時間がかかり、セル切替時のスループットの低下を抑えることができないという問題がある。【０００５】
１つの側面では、本発明は、セル切替時のスループットの低下を抑えることができる基地局装置およびシステムを提供することを目的とする。
【課題を解決するための手段】
【０００６】
上述した課題を解決し、目的を達成するため、本発明の一側面によれば、第１セルおよび第２セルに接続し前記第１セルに設定された第１ベアラによって通信を行う端末装置における測定結果を示す測定報告が第１条件を満たすと前記第１ベアラを複製した第２ベアラを前記第２セルに設定し、前記測定報告が前記第１条件とは異なる第２条件を満たすと前記端末装置の通信のベアラを前記第１ベアラから前記第２ベアラに切り替える基地局装置およびシステムが提案される。
【発明の効果】
【０００７】
本発明の一側面によれば、セル切替時のスループットの低下を抑えることができるという効果を奏する。
【図面の簡単な説明】
【０００８】
【図１Ａ】図１Ａは、実施の形態１にかかるシステムの一例を示す図である。
【図１Ｂ】図１Ｂは、図１Ａに示したシステムにおける信号の流れの一例を示す図である。
【図２Ａ】図２Ａは、実施の形態２にかかる通信システムの一例を示す図である。
【図２Ｂ】図２Ｂは、プロトコルアーキテクチャの一例を示す図である。
【図３Ａ】図３Ａは、ベアラ切替の一例を示す図（その１）である。
【図３Ｂ】図３Ｂは、ベアラ切替の一例を示す図（その２）である。
【図３Ｃ】図３Ｃは、Ｕ−Ｐｌａｎｅのプロトコルスタックの一例を示す図である。
【図４】図４は、通信システムの動作の一例を示す図である。
【図５】図５は、各閾値の一例を示す図である。
【図６Ａ】図６Ａは、通信システムの各装置の構成の一例を示す図である。
【図６Ｂ】図６Ｂは、図６Ａに示した通信システムの各装置の構成における信号の流れの一例を示す図である。
【図７Ａ】図７Ａは、各基地局のハードウェア構成の一例を示す図である。
【図７Ｂ】図７Ｂは、図７Ａに示した各基地局のハードウェア構成における信号の流れの一例を示す図である。
【図８Ａ】図８Ａは、移動機のハードウェア構成の一例を示す図である。
【図８Ｂ】図８Ｂは、図８Ａに示した移動機のハードウェア構成における信号の流れの一例を示す図である。
【図９】図９は、電波状況監視部によって監視される情報の一例を示す図である。
【図１０Ａ】図１０Ａは、電波状況管理動作の一例を示すシーケンス図（その１）である。
【図１０Ｂ】図１０Ｂは、電波状況管理動作の一例を示すシーケンス図（その２）である。
【図１１】図１１は、ベアラ複製動作の一例を示すシーケンス図である。
【図１２】図１２は、ベアラ複製後のデータ転送の一例を示すシーケンス図である。
【図１３】図１３は、データバッファリング動作の一例を示すシーケンス図である。
【図１４】図１４は、ベアラ切替動作の一例を示すシーケンス図である。
【図１５】図１５は、複製ベアラ解放動作の一例を示すシーケンス図である。
【図１６】図１６は、マクロセル基地局による処理の一例を示すフローチャート（その１）である。
【図１７】図１７は、マクロセル基地局による処理の一例を示すフローチャート（その２）である。
【図１８】図１８は、マクロセル基地局による処理の一例を示すフローチャート（その３）である。
【図１９】図１９は、実施の形態３にかかるマクロセル基地局による処理の一例を示すフローチャート（その１）である。
【図２０】図２０は、実施の形態３にかかるマクロセル基地局による処理の一例を示すフローチャート（その２）である。
【発明を実施するための形態】
【０００９】
以下に図面を参照して、本発明にかかる基地局装置およびシステムの実施の形態を詳細に説明する。
【００１０】
（実施の形態１）
（実施の形態１にかかるシステム）
図１Ａは、実施の形態１にかかるシステムの一例を示す図である。図１Ｂは、図１Ａに示したシステムにおける信号の流れの一例を示す図である。図１Ａ，図１Ｂに示すように、実施の形態１にかかるシステム１００は、第１基地局装置１１０と、第２基地局装置１２０と、端末装置１０１と、を含む。
【００１１】
第１セル１１１は、第１基地局装置１１０のセルである。第２セル１２１は、第２基地局装置１２０のセルである。第１セル１１１は、少なくとも一部が第２セル１２１と重複するセルである。たとえば、第１セル１１１は第２セル１２１に包含されていてもよい。
【００１２】
端末装置１０１は、第１セル１１１と第２セル１２１との重複部分に位置しており、第１セル１１１および第２セル１２１と同時に接続している。また、端末装置１０１は、第１セル１１１に設定された第１ベアラによって通信を行っているとする。なお、このとき、端末装置１０１は、同時に第２セル１２１に設定された他のベアラによる通信を行っていてもよい。
【００１３】
第２基地局装置１２０は、たとえば第１セル１１１と第２セル１２１とを管理する基地局装置である。第２基地局装置１２０は、取得部１２２と、制御部１２３と、を備える。
【００１４】
取得部１２２は、端末装置１０１における測定結果を示す測定報告を取得する。たとえば、取得部１２２は、第１セル１１１における端末装置１０１の無線品質に関する無線品質情報を取得する。無線品質に関する無線品質情報は、たとえば無線品質を示す情報である。無線品質は、たとえばＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）などの受信電波強度である。取得部１２２は、取得した無線品質情報を制御部１２３へ出力する。
【００１５】
たとえば、取得部１２２は、図１Ａ，図１Ｂに示す例のように端末装置１０１から無線送信される無線品質情報を直接受信する。または、取得部１２２は、端末装置１０１からの無線品質情報を、たとえば第１基地局装置１１０を介して取得してもよい。
【００１６】
制御部１２３は、取得部１２２から出力された無線品質情報に基づいて、端末装置１０１の通信に用いるベアラの切替を行う。たとえば、制御部１２３は、端末装置１０１における第１基地局装置１１０の無線品質が第１所定値を下回ると（第１条件を満たすと）、第１セル１１１に設定された端末装置１０１の第１ベアラを複製した第２ベアラを第２セル１２１に設定する。
【００１７】
また、制御部１２３は、端末装置１０１における第１基地局装置１１０の無線品質が第２所定値を下回ると（第２条件を満たすと）、端末装置１０１の通信のベアラを第１ベアラから第２ベアラに切り替える。これにより、端末装置１０１の通信に使用されるセルが第１セル１１１から第２セル１２１へ切り替わる。第２所定値は、第１所定値より低い値である。
【００１８】
このように、実施の形態１によれば、端末装置１０１における第１セル１１１の無線品質の劣化を検知した場合に、第１セル１１１で確立している端末装置１０１のベアラを第２セル１２１に複製することができる。そして、端末装置１０１における第１セル１１１の無線品質のさらなる劣化を検知した場合に、端末装置１０１の通信に使用するベアラを複製ベアラに切り替えることができる。
【００１９】
これにより、たとえばセル切替時にベアラの移動などを行わなくても、使用するベアラを複製ベアラに切り替えることでセル切替を行うことができる。このため、短時間でのセル切替が可能になり、セル切替時のスループット低下を抑えることができる。
【００２０】
なお、第２基地局装置１２０が取得部１２２および制御部１２３を備える構成について説明したが、第１基地局装置１１０が取得部１２２および制御部１２３を備える構成としてもよい。
【００２１】
また、無線品質情報が無線品質を示す情報である場合について説明したが、無線品質情報は、無線品質に関する無線品質情報が第１所定値以下であることを示す情報や、無線品質に関する無線品質情報が第２所定値以下であることを示す情報などであってもよい。
【００２２】
＜バッファリング＞
制御部１２３は、端末装置１０１における第１セル１１１の無線品質が第１所定値を下回り、複製ベアラを第２セル１２１に設定した場合に、以下のバッファリングを制御してもよい。すなわち、制御部１２３は、第１セル１１１が第１ベアラで端末装置１０１へ送信するデータの複製データを第１基地局装置１１０から第２基地局装置１２０へ送信させ、第２基地局装置１２０に複製データをバッファリングさせる制御を行ってもよい。
【００２３】
この場合に、制御部１２３は、端末装置１０１における第１セル１１１の無線品質が第２所定値を下回り、端末装置１０１の通信に使用するベアラを複製ベアラに切り替えると、以下の制御を行う。すなわち、制御部１２３は、第２基地局装置１２０にバッファリングさせておいた複製データを第２ベアラで端末装置１０１へ送信させる。これにより、ベアラ切替時に短時間で第２ベアラでのデータ送信を開始することができる。このため、セル切替時のスループット低下を抑えることができる。
【００２４】
また、この場合に、制御部１２３は、端末装置１０１の通信に使用するベアラを複製ベアラに切り替えた後に、第２基地局装置１２０に対して、他の通信装置から受信した端末装置１０１へのデータをバッファリングしながら、複製データの送信を行わせてもよい。他の通信装置は、たとえば第２基地局装置１２０の上位装置である。
【００２５】
そして、制御部１２３は、第２基地局装置１２０に対して、複製データの送信が完了した後に、他の通信装置から受信してバッファリングしておいた端末装置１０１へのデータの第２ベアラでの送信を開始させる。これにより、端末装置１０１における第１セル１１１の無線品質が第２所定値を下回るまでのデータ（複製データ）と、端末装置１０１における第１セル１１１の無線品質が第２所定値を下回ってからのデータと、の順序保証を行うことができる。
【００２６】
＜送信対象の複製データ＞
制御部１２３は、第２基地局装置１２０がベアラ切替後に送信する複製データを、バッファリングした複製データのうちの、端末装置１０１における第１セル１１１の無線品質が第２所定値を下回っていなかった時点までの複製データとしてもよい。これにより、端末装置１０１が第１セル１１１から正常に受信できた可能性が高いデータを第２セル１２１から再度送信することを抑制することができる。
【００２７】
この場合に、制御部１２３は、端末装置１０１における第１セル１１１の無線品質が第１所定値を下回り第２所定値を下回っていない場合は、第２基地局装置１２０がバッファリングしている複製データを順次削除させる制御を行ってもよい。これにより、第２基地局装置１２０におけるバッファリングのためのメモリの使用量を削減することができる。
【００２８】
＜無線品質の改善時の処理＞
また、制御部１２３は、端末装置１０１における第１セル１１１の無線品質が第１所定値を下回った後に第３所定値を上回った場合に、第２セル１２１に設定した第２ベアラを削除してもよい。第３所定値は、第１所定値以上の値である。これにより、端末装置１０１における第１セル１１１の無線品質が改善した場合に第２セル１２１における無線リソースを解放し、無線リソースの使用効率を向上させることができる。
【００２９】
また、制御部１２３は、端末装置１０１における第１セル１１１の無線品質が第１所定値を下回った後に第３所定値を上回った場合に、第１基地局装置１１０から第２基地局装置１２０への複製データの送信を停止させる制御を行ってもよい。これにより、端末装置１０１における第１セル１１１の無線品質が改善した場合に第１基地局装置１１０と第２基地局装置１２０との間のトラヒックを低減することができる。
【００３０】
＜変形例＞
取得部１２２は、端末装置１０１の移動速度と、端末装置１０１における第１セル１１１の無線品質と、に関する情報を取得してもよい。この情報は、たとえば端末装置１０１の移動速度および無線品質を示す情報である。この場合に、制御部１２３は、端末装置１０１の移動速度が所定速度を上回ると、第１セル１１１に設定された端末装置１０１の第１ベアラを複製した第２ベアラを第２セル１２１に設定する。
【００３１】
また、制御部１２３は、端末装置１０１における第１基地局装置１１０の無線品質が所定値（たとえば上述した第２所定値）を下回ると、端末装置１０１の通信のベアラを第１ベアラから第２ベアラに切り替える。これにより、端末装置１０１の通信に使用されるセルが第１セル１１１から第２セル１２１へ切り替わる。第２所定値は、第１所定値より低い値である。
【００３２】
このように、実施の形態１において、端末装置１０１の移動速度の増加を検知した場合に、第１セル１１１で確立している端末装置１０１のベアラを第２セル１２１に複製するようにしてもよい。そして、端末装置１０１における第１セル１１１の無線品質の劣化を検知した場合に、端末装置１０１の通信に使用するベアラを複製ベアラに切り替える。
【００３３】
これにより、端末装置１０１の移動によって端末装置１０１における第１セル１１１の無線品質が劣化する前に、端末装置１０１のベアラを第２セル１２１に複製しておくことができる。したがって、たとえばセル切替時にベアラの移動などを行わなくても、使用するベアラを複製ベアラに切り替えることでセル切替を行うことができる。このため、短時間でのセル切替が可能になり、セル切替時のスループット低下を抑えることができる。
【００３４】
また、取得部１２２が取得する情報が移動速度を示す情報である場合について説明したが、取得部１２２が取得する情報は、移動速度が所定速度を上回ったことを示す情報などであってもよい。
【００３５】
また、制御部１２３は、端末装置１０１の移動速度が所定速度を上回り、かつ無線品質が第１所定値を下回った場合に、第１セル１１１に設定された端末装置１０１の第１ベアラを複製した第２ベアラを第２セル１２１に設定するようにしてもよい。
【００３６】
（実施の形態２）
（実施の形態２にかかる通信システム）
図２Ａは、実施の形態２にかかる通信システムの一例を示す図である。図２Ａに示すように、実施の形態２にかかる通信システム２００は、コアネットワーク２１０と、マクロセル基地局２２０と、スモールセル基地局２３０と、移動機２０１と、を含む。通信システム２００は、たとえば３ＧＰＰ（３ｒｄ  Ｇｅｎｅｒａｔｉｏｎ  Ｐａｒｔｎｅｒｓｈｉｐ  Ｐｒｏｊｅｃｔ）で規定されるＬＴＥなどの通信システムである。
【００３７】
図１Ａ，図１Ｂに示したシステム１００は、たとえば通信システム２００により実現することができる。この場合に、図１Ａ，図１Ｂに示した第１基地局装置１１０は、たとえばマクロセル基地局２２０により実現することができる。また、図１Ａ，図１Ｂに示した第２基地局装置１２０は、たとえばスモールセル基地局２３０により実現することができる。また、図１Ａ，図１Ｂに示した端末装置１０１は、たとえば移動機２０１により実現することができる。
【００３８】
上位装置２１１は、コアネットワーク２１０に含まれる通信装置であって、マクロセル基地局２２０およびスモールセル基地局２３０の上位装置である。たとえば、上位装置２１１は、ＳＧＷ（Ｓｅｒｖｉｎｇ  Ｇａｔｅｗａｙ）などである。
【００３９】
マクロセル２２１は、マクロセル基地局２２０が形成するセルである。マクロセル基地局２２０は、たとえばｅＮＢ（ｅｖｏｌｖｅｄ  Ｎｏｄｅ  Ｂ）である。スモールセル２３１は、スモールセル基地局２３０が形成するセルである。スモールセル２３１は、たとえば、フェムトセル、ピコセル、ナノセルなどの、マクロセル２２１と比べて範囲が小さいセルである。
【００４０】
マクロセル基地局２２０およびスモールセル基地局２３０は、それぞれＳ１インターフェース２４１，２４２によってコアネットワーク２１０の上位装置２１１と接続されている。また、マクロセル基地局２２０およびスモールセル基地局２３０は、Ｘ２インターフェース２４３によって互いに接続されている。
【００４１】
移動機２０１は、たとえばＵＥ（Ｕｓｅｒ  Ｅｑｕｉｐｍｅｎｔ：ユーザ端末）である。移動機２０１は、マクロセル基地局２２０およびスモールセル基地局２３０に接続可能である。また、移動機２０１は、マクロセル基地局２２０およびスモールセル基地局２３０と同時に通信を行い、マクロセル基地局２２０およびスモールセル基地局２３０からそれぞれ別のデータ（たとえばＵ−Ｐｌａｎｅデータ）を受信可能である。
【００４２】
この場合に、コアネットワーク２１０の上位装置２１１は、それぞれ別のデータをマクロセル基地局２２０およびスモールセル基地局２３０へ送信する。たとえば、移動機２０１は、それぞれ異なる周波数によってマクロセル基地局２２０およびスモールセル基地局２３０と同時に通信を行う。
【００４３】
また、上位装置２１１は、移動機２０１へ送信するデータの転送経路を、データの種類に応じて選択してもよい。たとえば、上位装置２１１は、高スループットよりも確実な通信を要する音声通信などのデータについては、マクロセル基地局２２０を経由して移動機２０１へ送信する。音声通信は、たとえばＶｏＩＰ（Ｖｏｉｃｅ  ｏｖｅｒ  ＩＰ）やＶｏＬＴＥ（Ｖｏｉｃｅ  ｏｖｅｒ  ＬＴＥ）などである。また、上位装置２１１は、高スループットを要するストリーミングなどの通信についてはスモールセル基地局２３０を経由して移動機２０１へ送信する。
【００４４】
（プロトコルアーキテクチャ）
図２Ｂは、プロトコルアーキテクチャの一例を示す図である。図２Ｂに示すＲＲＣ２５１（Ｒａｄｉｏ  Ｒｅｓｏｕｒｃｅ  Ｃｏｎｔｒｏｌ：無線リソース制御）は、マクロセル基地局２２０におけるＲＲＣの制御部である。ＲＲＣ２５２は、移動機２０１におけるＲＲＣの制御部である。
【００４５】
マクロセル基地局２２０と移動機２０１との間のＲＲＣは、それぞれＲＲＣ２５１，２５２によって終端される。また、スモールセル基地局２３０を経由する移動機２０１の通信のＲＲＣについてもＲＲＣ２５１，２５２によって終端される。このように、マクロセル基地局２２０のＲＲＣ２５１においては、マクロセル２２１のＵ−Ｐｌａｎｅ経路と、スモールセル２３１のＵ−Ｐｌａｎｅ経路と、の両方の管理が行われる。
【００４６】
（ベアラ切替）
図３Ａおよび図３Ｂは、ベアラ切替の一例を示す図である。図３Ａ，図３Ｂに示すように、たとえば、マクロセル基地局２２０と移動機２０１との間には、セル＃１を用いたベアラ＃１と、セル＃２を用いたベアラ＃２と、が設定される。そして、マクロセル基地局２２０および移動機２０１は、たとえば、図３Ａに示すようにベアラ＃１を用いて通信を行う状態から、図３Ｂに示すようにベアラ＃２を用いて通信を行う状態へ切り替えるベアラ切替を行う。
【００４７】
このように、移動機２０１に対して複数のベアラを設定し、セル切替時に、使用するベアラを切り替えることで通信を継続させることができる。これにより、たとえばハンドオーバと比べて短時間でのセル切替が可能になる。
【００４８】
実施の形態２においては、スモールセル基地局２３０を経由する移動機２０１のベアラをマクロセル基地局２２０に複製することで複数のベアラを設定し、使用するベアラをスモールセル基地局２３０のベアラからマクロセル基地局２２０のベアラへ切り替える。これにより、短時間でのセル切替が可能になる。
【００４９】
（Ｕ−Ｐｌａｎｅのプロトコルスタック）
図３Ｃは、Ｕ−Ｐｌａｎｅのプロトコルスタックの一例を示す図である。図３Ｃに示すプロトコルスタック３３０は、たとえばＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）におけるＵ−Ｐｌａｎｅのプロトコルスタックである。上述したベアラの複製は、たとえばＰＤＣＰ（Ｐａｃｋｅｔ  Ｄａｔａ  Ｃｏｎｖｅｒｇｅｎｃｅ  Ｐｒｏｔｏｃｏｌ）レイヤによって行うことができる。
【００５０】
図３Ｃに示す移動機はたとえば移動機２０１である。図３Ｃに示すマクロセル基地局はたとえばマクロセル基地局２２０である。図３Ｃに示すＳＧＷはたとえば上位装置２１１である。図３Ｃに示すｓｅｒｖｅｒは、コアネットワーク２１０に設けられ移動機２０１と通信を行うサーバである。
【００５１】
（通信システムの動作）
図４は、通信システムの動作の一例を示す図である。図４において、図２Ａに示した部分と同様の部分については同一の符号を付して説明を省略する。
【００５２】
＜マクロセルによるスモールセルの電波状況管理＞
マクロセル基地局２２０は、移動機２０１から送信される電波状況の測定結果を監視することで、スモールセル基地局２３０を用いた通信の電波状況を監視する。移動機２０１は、たとえば位置登録時などに電波状況の測定結果をマクロセル基地局２２０へ送信する。また、マクロセル基地局２２０は、定期的に移動機２０１に対して電波状況の測定要求を行い、移動機２０１は、測定要求に対して電波状況の測定結果をマクロセル基地局２２０へ送信する。
【００５３】
＜マクロセルへのベアラ複製＞
移動機２０１からの電波状況の測定結果が第１閾値（ベアラ設定閾値）を下回っていた場合、マクロセル基地局２２０は、スモールセル基地局２３０に移動機２０１に関するベアラ情報を要求する。そして、マクロセル基地局２２０は、スモールセル基地局２３０と同じベアラをマクロセル基地局２２０に設定する。
【００５４】
＜スモールセルからマクロセルへのデータ転送＞
スモールセル基地局２３０は、コアネットワーク２１０から受信したデータを移動機２０１およびマクロセル基地局２２０のそれぞれの送信用に複製する。そして、スモールセル基地局２３０は、移動機２０１へのデータ送信と並行して、マクロセル基地局２２０へのデータ転送を行う。このデータ転送は、たとえばＸ２インターフェース２４３を介して行われる。
【００５５】
＜マクロセルでのデータバッファリング＞
マクロセル基地局２２０は、スモールセル基地局２３０から転送されたデータをベアラ切替までバッファリングする。また、マクロセル基地局２２０は、定期的に電波状況を監視し、電波状況の測定結果が第２閾値（ベアラ切替閾値）を下回らない場合は不要なバッファリングデータを削除する。
【００５６】
＜ベアラ切替＞
マクロセル基地局２２０は、電波状況の測定結果が第２閾値（ベアラ切替閾値）を下回った場合は、コアネットワーク２１０にベアラの切替要求を行うことでベアラ切替を行うとともに、バッファリングデータを移動機２０１へ送信する。このとき、マクロセル基地局２２０は、スモールセル基地局２３０から転送されたデータとコアネットワーク２１０から送信されるデータの順序保証を行いながら移動機２０１にデータを送信する。すなわち、マクロセル基地局２２０は、ベアラ切替後、コアネットワーク２１０から送信されるデータをバッファリングデータの送信完了後に送信する。
【００５７】
＜ベアラ削除＞
マクロセル基地局２２０は、電波状況の測定結果が第３閾値（ベアラ削除閾値）を上回った場合は、マクロセル基地局２２０に設定していたベアラを削除し、バッファリングデータの削除を行う。また、マクロセル基地局２２０は、スモールセル基地局２３０においてデータの複製および転送が開始されていた場合は、スモールセル基地局２３０に対してこれらの複製および転送の停止を要求する停止要求を行う。ベアラの削除およびバッファリングデータの削除は、たとえば停止要求によって複製および転送後に行われる。
【００５８】
これにより、移動機２０１へのデータ送信を止めなくてもスモールセル基地局２３０からマクロセル基地局２２０へのベアラ切替が可能になる。このため、セル切替におけるスループットの低下を抑えることができる。また、無線区間へ同一データを送信しなくてもベアラ切替が可能になるため、無線区間の負荷の軽減を図ることができる。
【００５９】
（各閾値）
図５は、各閾値の一例を示す図である。図５において、縦軸は電波状況を示している。電波状況は、たとえばＲＳＳＩなどの受信電波強度である。受信電波強度が高いほど電波状況が良く、受信電波強度が低いほど電波状況が悪い。
【００６０】
図５に示すように、第１閾値、第２閾値および第３閾値は、たとえば第２閾値＜第１閾値＜第３閾値の関係を有する。ただし、第１閾値＝第３閾値としてもよい。第１閾値、第２閾値および第３閾値は、たとえば任意に変更可能なパラメータであり、たとえば通信キャリアにて個別に設定が可能なパラメータとしてもよい。
【００６１】
第１閾値は、スモールセル基地局２３０の電波状況の劣化を検出し、予めマクロセル基地局２２０にベアラを設定（複製）するための閾値である。第２閾値は、スモールセル基地局２３０の電波状況の劣化を検出し、マクロセル基地局２２０への切替を行うための閾値である。第３閾値は、スモールセル基地局２３０の電波状況の改善を検出し、マクロセル基地局２２０に設定したベアラを解放するための閾値である。
【００６２】
電波状況変化５０１〜５０３は、移動機２０１から報告される電波状況の変化を示している。たとえば、電波状況変化５０１のように、電波状況が第１閾値を下回ると、スモールセル基地局２３０における通信状況が劣化したと判断することができる。この場合は、スモールセル基地局２３０は、データの複製およびマクロセル基地局２２０への転送を開始する。これに対して、マクロセル基地局２２０は、マクロセル基地局２２０のベアラを自局に複製（無線リソースの確保）し、マクロセル基地局２２０からの転送データのバッファリングを開始する。
【００６３】
つぎに、電波状況変化５０２のように、電波状況が第２閾値も下回ると、スモールセル基地局２３０における通信状況がさらに劣化し、スモールセル基地局２３０における通信が困難になったと判断することができる。この場合は、マクロセル基地局２２０は、移動機２０１のベアラをスモールセル基地局２３０からマクロセル基地局２２０に切り替えるベアラ切替を行う。これにより、移動機２０１へのデータ送信を継続することができる。
【００６４】
また、電波状況変化５０３のように、電波状況が第３閾値を超えると、スモールセル基地局２３０における通信状況が改善したと判断することができる。この場合は、マクロセル基地局２２０は、電波状況変化５０１において設定したベアラを削除（無線リソースを解放）し、バッファリングデータを削除する。また、スモールセル基地局２３０は、データの複製および転送を停止し、移動機２０１へのデータ送信を継続する。
【００６５】
（通信システムの各装置の構成）
図６Ａは、通信システムの各装置の構成の一例を示す図である。図６Ｂは、図６Ａに示した通信システムの各装置の構成における信号の流れの一例を示す図である。図６Ａ，図６Ｂに示すように、コアネットワーク２１０は、ベアラ管理部６１１と、データ送信部６１２と、を備える。
【００６６】
ベアラ管理部６１１は、マクロセル基地局２２０およびスモールセル基地局２３０のＵ−Ｐｌａｎｅ経路の管理を行う。データ送信部６１２は、マクロセル基地局２２０およびスモールセル基地局２３０へのデータを送信する。
【００６７】
＜マクロセル基地局＞
マクロセル基地局２２０は、電波状況監視部６２１と、閾値管理部６２２と、ベアラ管理部６２３と、データ管理部６２４と、バッファ６２５と、データ受信部６２６と、データ送信部６２７と、を備える。
【００６８】
電波状況監視部６２１は、移動機２０１に対して電波状況の測定要求を定期的に送信する。また、電波状況監視部６２１は、測定要求に対して移動機２０１から送信された電波状況の測定結果を受信する。電波状況監視部６２１は、受信した電波状況の測定結果を閾値管理部６２２へ出力する。
【００６９】
閾値管理部６２２は、上述した第１閾値、第２閾値、第３閾値を記憶している。閾値管理部６２２は、電波状況監視部６２１から出力された電波状況の測定結果が示す受信電波強度と各閾値とを比較し、比較結果をベアラ管理部６２３およびデータ管理部６２４へ出力する。
【００７０】
ベアラ管理部６２３は、マクロセル基地局２２０およびスモールセル基地局２３０のベアラを管理する。また、ベアラ管理部６２３は、閾値管理部６２２から出力された比較結果に基づいて、マクロセル基地局２２０のベアラ設定およびコアネットワーク２１０へのベアラ切替要求を行う。
【００７１】
データ管理部６２４は、閾値管理部６２２から出力された比較結果に基づいて、バッファ６２５においてバッファリングされているデータの削除を行う。また、データ管理部６２４は、閾値管理部６２２から出力された比較結果に基づいて、バッファ６２５においてバッファリングされているデータの送信の管理を行う。
【００７２】
バッファ６２５は、データ受信部６２６から出力された各データのバッファリングを行う。また、バッファ６２５は、データ管理部６２４からの制御によって、バッファリングデータの削除や、バッファリングデータのデータ送信部６２７への出力を行う。
【００７３】
データ受信部６２６は、スモールセル基地局２３０からのデータを受信する。また、データ受信部６２６は、コアネットワーク２１０からのデータを受信する。データ受信部６２６は、受信したデータをバッファ６２５へ出力する。データ送信部６２７は、バッファ６２５から出力されたデータを移動機２０１へ送信する。
【００７４】
図１Ａ，図１Ｂに示した取得部１２２は、たとえば電波状況監視部６２１によって実現することができる。図１Ａ，図１Ｂに示した制御部１２３は、たとえば閾値管理部６２２、ベアラ管理部６２３、データ管理部６２４、バッファ６２５、データ受信部６２６およびデータ送信部６２７によって実現することができる。
【００７５】
＜スモールセル基地局＞
スモールセル基地局２３０は、ベアラ管理部６３１と、データ受信部６３２と、データ複製部６３３と、データ送信部６３４と、を備える。ベアラ管理部６３１は、マクロセル基地局２２０からベアラ情報要求を受信すると、移動機２０１に関するベアラ情報をマクロセル基地局２２０へ送信する。
【００７６】
また、ベアラ管理部６３１は、マクロセル基地局２２０からベアラ削除通知を受信すると、データ複製の停止を要求するデータ複製停止要求をデータ複製部６３３へ出力する。また、ベアラ管理部６３１は、データ転送を停止したことを示すデータ転送停止応答がデータ複製部６３３から出力されると、データ転送を停止したことを通知するデータ転送停止通知をマクロセル基地局２２０へ送信する。
【００７７】
データ受信部６３２は、コアネットワーク２１０からのデータを受信し、受信したデータをデータ複製部６３３へ出力する。
【００７８】
データ複製部６３３は、データ受信部６３２から出力されたコアネットワーク２１０からの受信データを、移動機２０１へのデータと、マクロセル基地局２２０へのデータと、の２つに複製する。そして、データ複製部６３３は、複製したデータをデータ送信部６３４へ出力する。データ送信部６３４は、データ複製部６３３から出力されたデータを移動機２０１およびマクロセル基地局２２０へ送信する。
【００７９】
＜移動機＞
移動機２０１は、電波状況測定部６０１と、データ受信部６０２と、を備える。電波状況測定部６０１は、たとえば位置登録時などに、通信中の無線信号の受信結果に基づいて電波状況を測定し、電波状況の測定結果をマクロセル基地局２２０へ送信する。また、電波状況測定部６０１は、マクロセル基地局２２０からの電波状況測定指示に基づいて、無線信号の受信結果に基づいて電波状況を測定し、電波状況の測定結果をマクロセル基地局２２０へ送信する。
【００８０】
データ受信部６０２は、マクロセル基地局２２０およびスモールセル基地局２３０からのデータを受信する。
【００８１】
（各基地局のハードウェア構成）
図７Ａは、各基地局のハードウェア構成の一例を示す図である。図７Ｂは、図７Ａに示した各基地局のハードウェア構成における信号の流れの一例を示す図である。マクロセル基地局２２０およびスモールセル基地局２３０のそれぞれは、たとえば図７Ａ，図７Ｂに示す基地局７００により実現することができる。基地局７００は、アンテナ７０１と、アンプ７０２と、プロセッサ７０３と、メモリ７０４と、伝送路インターフェース７０５と、を備える。
【００８２】
アンテナ７０１は、他の無線通信装置（たとえば移動機２０１）から無線送信された信号を受信し、受信した信号をアンプ７０２へ出力する。また、アンテナ７０１は、アンプ７０２から出力された信号を他の無線通信装置へ無線送信する。
【００８３】
アンプ７０２は、アンテナ７０１から出力された信号を増幅してプロセッサ７０３へ出力する。また、アンプ７０２は、プロセッサ７０３から出力された信号を増幅してアンテナ７０１へ出力する。
【００８４】
プロセッサ７０３は、基地局７００の全体の制御を司る。たとえば、プロセッサ７０３は、他の無線通信装置へ送信すべき信号を生成してアンプ７０２へ出力する送信処理を行う。また、プロセッサ７０３は、アンプ７０２から出力された信号の復調や復号などの受信処理を行う。
【００８５】
メモリ７０４には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、メモリ７０４のワークエリアとして使用される。補助メモリは、たとえば磁気ディスク、光ディスク、フラッシュメモリなどの不揮発メモリである。補助メモリには、基地局７００を動作させる各種のプログラムが記憶されている。補助メモリに記憶されたプログラムは、メインメモリにロードされてメモリ７０４によって実行される。
【００８６】
伝送路インターフェース７０５は、たとえば有線によってネットワーク７０６との間で通信を行う通信インターフェースである。たとえば、伝送路インターフェース７０５は、コアネットワーク２１０との間のＳ１インターフェースや基地局間のＸ２インターフェースなどを含む。伝送路インターフェース７０５はプロセッサ７０３によって制御される。
【００８７】
図６Ａ，図６Ｂに示したマクロセル基地局２２０の電波状況監視部６２１、閾値管理部６２２、ベアラ管理部６２３およびデータ管理部６２４は、たとえばアンテナ７０１、アンプ７０２、プロセッサ７０３およびメモリ７０４により実現することができる。図６Ａ，図６Ｂに示したマクロセル基地局２２０のデータ受信部６２６、データ送信部６２７は、たとえばアンテナ７０１、アンプ７０２、プロセッサ７０３およびメモリ７０４により実現することができる。図６Ａ，図６Ｂに示したマクロセル基地局２２０のバッファ６２５は、たとえばプロセッサ７０３およびメモリ７０４（補助メモリ）により実現することができる。
【００８８】
図６Ａ，図６Ｂに示したスモールセル基地局２３０のベアラ管理部６３１、データ受信部６３２、データ複製部６３３およびデータ送信部６３４は、たとえばプロセッサ７０３およびメモリ７０４（メインメモリ）により実現することができる。
【００８９】
（移動機のハードウェア構成）
図８Ａは、移動機のハードウェア構成の一例を示す図である。図８Ｂは、図８Ａに示した移動機のハードウェア構成における信号の流れの一例を示す図である。移動機２０１は、たとえば図８Ａ，図８Ｂに示す移動機８００により実現することができる。移動機８００は、アンテナ８０１と、アンプ８０２と、プロセッサ８０３と、メモリ８０４と、を備える。
【００９０】
アンテナ８０１は、他の無線通信装置（たとえばマクロセル基地局２２０やスモールセル基地局２３０）から無線送信された信号を受信し、受信した信号をアンプ８０２へ出力する。また、アンテナ８０１は、アンプ８０２から出力された信号を他の無線通信装置へ無線送信する。
【００９１】
アンプ８０２は、アンテナ８０１から出力された信号を増幅してプロセッサ８０３へ出力する。また、アンプ８０２は、プロセッサ８０３から出力された信号を増幅してアンテナ８０１へ出力する。
【００９２】
プロセッサ８０３は、移動機８００の全体の制御を司る。たとえば、プロセッサ８０３は、他の無線通信装置へ送信すべき信号を生成してアンプ８０２へ出力する送信処理を行う。また、プロセッサ８０３は、アンプ８０２から出力された信号の復調や復号などの受信処理を行う。
【００９３】
メモリ８０４には、たとえばメインメモリおよび補助メモリが含まれる。メインメモリは、たとえばＲＡＭである。メインメモリは、メモリ８０４のワークエリアとして使用される。補助メモリは、たとえば磁気ディスク、フラッシュメモリなどの不揮発メモリである。補助メモリには、移動機８００を動作させる各種のプログラムが記憶されている。補助メモリに記憶されたプログラムは、メインメモリにロードされてメモリ８０４によって実行される。
【００９４】
図６Ａ，図６Ｂに示した移動機２０１の電波状況測定部６０１およびデータ受信部６０２は、たとえばプロセッサ８０３およびメモリ８０４（メインメモリ）により実現することができる。
【００９５】
（電波状況監視部によって監視される情報）
図９は、電波状況監視部によって監視される情報の一例を示す図である。マクロセル基地局２２０の電波状況監視部は、たとえば図９に示す電波状況監視テーブル９００を管理する。電波状況監視テーブル９００は、項目として、移動機識別子、測定時刻および受信電波強度を含む。
【００９６】
移動機識別子は、対象の移動機の識別子である。測定時刻は、対象の移動機から電波状況の測定結果が送信された時刻である。または、測定時刻は、対象の移動機によって電波状況が測定された時刻などであってもよい。受信電波強度は、対象の移動機によって測定された電波強度［ｄＢ］である。
【００９７】
（電波状況管理動作）
図１０Ａおよび図１０Ｂは、電波状況管理動作の一例を示すシーケンス図である。通信システム２００は、電波状況管理動作として、たとえば図１０Ａ，図１０Ｂに示す各ステップのように動作する。
【００９８】
図１０Ａにおいては、移動機２０１が自発的に電波状況を測定する場合について説明する。まず、移動機２０１の電波状況測定部６０１が、たとえば位置登録時などに、無線信号の受信結果に基づいて電波状況を測定する（ステップＳ１０１１）。
【００９９】
つぎに、電波状況測定部６０１は、ステップＳ１０１１の測定結果をマクロセル基地局２２０へ送信する（ステップＳ１０１２）。ステップＳ１０１２によって送信される測定結果は、たとえば移動機２０１の使用周波数や受信電波強度などを示す情報である。この測定結果には、たとえば３ＧＰＰで規定されているＲＲＣのＭｅａｓｕｒｅｍｅｎｔ  Ｒｅｐｏｒｔなどを用いてもよい。マクロセル基地局２２０の電波状況監視部６２１は、ステップＳ１０１２によって送信された測定結果を、ステップＳ１０１２の時刻（測定時刻）とともに電波状況監視テーブル９００に格納する（たとえば図９参照）。
【０１００】
図１０Ｂにおいては、マクロセル基地局２２０が定期的に移動機２０１の電波状況の測定を指示する場合について説明する。まず、マクロセル基地局２２０の電波状況監視部６２１は、たとえば定期的なタイミングで、移動機２０１に対して電波状況の測定を指示する電波状況測定指示を送信する（ステップＳ１０２１）。ステップＳ１０２１によって送信される電波状況測定指示は、たとえばＲＲＣのＭｅａｓｕｒｅｍｅｎｔ  Ｃｏｎｔｒｏｌである。
【０１０１】
つぎに、移動機２０１の電波状況測定部６０１が、ステップＳ１０２１の電波状況測定指示に基づいて、無線信号の受信結果に基づいて電波状況を測定する（ステップＳ１０２２）。つぎに、電波状況測定部６０１は、ステップＳ１０２３へ移行する。ステップＳ１０２３は、図１０Ａに示したステップＳ１０１２と同様である。
【０１０２】
（ベアラ複製動作）
図１１は、ベアラ複製動作の一例を示すシーケンス図である。通信システム２００は、ベアラ複製動作として、たとえば図１１に示す各ステップのように動作する。
【０１０３】
まず、マクロセル基地局２２０の電波状況監視部６２１が、移動機２０１から送信される電波状況の測定結果を受信する（ステップＳ１１０１）。ステップＳ１１０１は、たとえば図１０Ａに示したステップＳ１０１２や図１０Ｂに示したステップＳ１０２３に対応する。つぎに、電波状況監視部６２１が、ステップＳ１１０１によって受信した測定結果が示す電波状況を閾値管理部６２２へ通知する（ステップＳ１１０２）。
【０１０４】
つぎに、閾値管理部６２２が、ステップＳ１１０２によって通知された電波状況（たとえば受信電波強度）の閾値判定を行う（ステップＳ１１０３）。図１１に示す例では、電波状況が第１閾値未満であったとする。つぎに、閾値管理部６２２が、電波状況が第１閾値未満であった旨の判定結果をベアラ管理部６２３へ出力する（ステップＳ１１０４）。
【０１０５】
つぎに、ベアラ管理部６２３が、スモールセル基地局２３０に対して、移動機２０１に関するベアラ情報を要求するベアラ情報要求を送信する（ステップＳ１１０５）。つぎに、スモールセル基地局２３０のベアラ管理部６３１が、移動機２０１に関するベアラ情報をマクロセル基地局２２０へ送信する（ステップＳ１１０６）。
【０１０６】
ベアラ情報は、たとえば、ＱＣＩ（ＱｏＳ  Ｃｌａｓｓ  Ｉｄｅｎｔｉｆｉｅｒ）などのＱｏＳ（Ｑｕａｌｉｔｙ  ｏｆ  Ｓｅｒｖｉｃｅ）、ＰＤＣＰシーケンス番号、下位レイヤのＲＬＣ（Ｒａｄｉｏ  Ｌｉｎｋ  Ｃｏｎｔｒｏｌ：無線リンク制御）シーケンス番号などを示す情報である。
【０１０７】
つぎに、マクロセル基地局２２０のベアラ管理部６２３が、ステップＳ１１０６によって送信されたベアラ情報に基づいて移動機２０１のベアラ設定を行う（ステップＳ１１０７）。これにより、スモールセル基地局２３０に設定された移動機２０１のベアラがマクロセル基地局２２０に複製される。
【０１０８】
（ベアラ複製後のデータ転送）
図１２は、ベアラ複製後のデータ転送の一例を示すシーケンス図である。図１１に示したベアラ複製動作の後は、通信システム２００において、たとえば図１２に示す各ステップのように、移動機２０１へのデータ転送が行われる。
【０１０９】
まず、コアネットワーク２１０のデータ送信部６１２が、移動機２０１へのデータをスモールセル基地局２３０へ送信する（ステップＳ１２０１）。つぎに、スモールセル基地局２３０のデータ受信部６３２が、ステップＳ１２０１における受信データをデータ複製部６３３へ出力する（ステップＳ１２０２）。つぎに、データ複製部６３３が、データ受信部６３２から出力された受信データのデータ複製を行う（ステップＳ１２０３）。
【０１１０】
つぎに、データ複製部６３３が、データ受信部６３２から出力された受信データ（元データ）をデータ送信部６３４へ出力する（ステップＳ１２０４）。つぎに、データ送信部６３４が、ステップＳ１２０４によって出力された元データを移動機２０１へ送信する（ステップＳ１２０５）。ステップＳ１２０５によって送信された元データは、移動機２０１のデータ受信部６０２によって受信される。
【０１１１】
また、データ複製部６３３が、データ受信部６３２から出力された受信データのステップＳ１２０３による複製データをデータ送信部６３４へ出力する（ステップＳ１２０６）。つぎに、データ送信部６３４が、ステップＳ１２０６によって出力された複製データをマクロセル基地局２２０へ送信する（ステップＳ１２０７）。ステップＳ１２０７によって送信された複製データは、マクロセル基地局２２０のデータ受信部６２６によって受信される。
【０１１２】
（データバッファリング動作）
図１３は、データバッファリング動作の一例を示すシーケンス図である。通信システム２００は、図１２に示したデータ転送を行っている場合に、データバッファリング動作として、たとえば図１３に示す各ステップのように動作する。
【０１１３】
まず、スモールセル基地局２３０のデータ送信部６３４が、複製データをマクロセル基地局２２０へ送信する（ステップＳ１３０１）。ステップＳ１３０１は、たとえば図１２に示したステップＳ１２０７に対応するステップである。
【０１１４】
つぎに、マクロセル基地局２２０のデータ受信部６２６が、ステップＳ１３０１による受信データをバッファ６２５へ出力する（ステップＳ１３０２）。つぎに、バッファ６２５が、ステップＳ１３０２によって出力されたデータのバッファリングを行う（ステップＳ１３０３）。
【０１１５】
一方、移動機２０１およびマクロセル基地局２２０は、たとえば図１０Ｂに示したステップＳ１０２１〜Ｓ１０２３と同様のステップＳ１３０４〜Ｓ１３０６を行っている。ステップＳ１３０６のつぎに、マクロセル基地局２２０の電波状況監視部６２１が、ステップＳ１３０６によって受信した測定結果が示す電波状況を閾値管理部６２２へ通知する（ステップＳ１３０７）。
【０１１６】
つぎに、閾値管理部６２２が、ステップＳ１３０７によって通知された電波状況の閾値判定を行う（ステップＳ１３０８）。図１３に示す例では、電波状況が第２閾値を下回っていなかった（第２閾値以上）とする。つぎに、閾値管理部６２２が、電波状況が第２閾値以上であった旨の判定結果をデータ管理部６２４へ出力する（ステップＳ１３０９）。
【０１１７】
つぎに、データ管理部６２４が、バッファ６２５においてバッファリングされているデータの削除を要求するデータ削除要求をバッファ６２５へ出力する（ステップＳ１３１０）。ステップＳ１３１０によって出力されるデータ削除要求は、たとえば、バッファ６２５においてバッファリングされているデータのうちの、受信時刻がステップＳ１３０６による測定結果の測定時刻以前のデータを削除する要求である。
【０１１８】
つぎに、バッファ６２５が、ステップＳ１３１０によって出力されたデータ削除要求に基づいてバッファリングデータの削除を行う（ステップＳ１３１１）。このように、マクロセル基地局２２０は、ベアラ切替までは、スモールセル基地局２３０から転送されたデータをバッファリングしておく。
【０１１９】
また、マクロセル基地局２２０は、電波状況が第２閾値以上である期間のバッファリングデータについては順次削除する。電波状況が第２閾値以上である期間のバッファリングデータについては、スモールセル基地局２３０から移動機２０１へ到達している可能性が高いため、削除することによってベアラ切替後の伝送効率の向上を図ることができる。また、バッファ６２５の使用量の低減を図ることができる。
【０１２０】
（ベアラ切替動作）
図１４は、ベアラ切替動作の一例を示すシーケンス図である。通信システム２００は、図１２に示したデータ転送を行っている場合に、ベアラ切替動作として、たとえば図１４に示す各ステップのように動作する。
【０１２１】
図１４に示すステップＳ１４０１〜Ｓ１４０５は、図１３に示したステップＳ１３０４〜Ｓ１３０８と同様である。ただし、図１４に示す例では、ステップＳ１４０５において、電波状況が第２閾値を下回った（第２閾値未満）とする。ステップＳ１４０５のつぎに、マクロセル基地局２２０の閾値管理部６２２が、電波状況が第２閾値未満であった旨の判定結果をデータ管理部６２４およびベアラ管理部６２３へ出力する（ステップＳ１４０６）。
【０１２２】
つぎに、データ管理部６２４が、バッファリングデータの送信を要求するデータ送信要求をバッファ６２５へ出力する（ステップＳ１４０７）。つぎに、バッファ６２５が、バッファリングデータをデータ送信部６２７へ出力する（ステップＳ１４０８）。つぎに、データ送信部６２７が、ステップＳ１４０８によって出力されたデータ（バッファリングデータ）を移動機２０１へ送信する（ステップＳ１４０９）。ステップＳ１４０９によって送信されたデータは移動機２０１のデータ受信部６０２によって受信される。
【０１２３】
また、ベアラ管理部６２３が、ベアラ切替を要求するベアラ切替要求をコアネットワーク２１０へ送信する（ステップＳ１４１０）。ステップＳ１４１０によって送信されるベアラ切替要求は、移動機２０１への送信に用いるベアラを、スモールセル基地局２３０のベアラからマクロセル基地局２２０のベアラへ切り替えることを要求するものである。
【０１２４】
つぎに、コアネットワーク２１０のデータ送信部６１２が、移動機２０１へのデータをマクロセル基地局２２０へ送信する（ステップＳ１４１１）。つぎに、マクロセル基地局２２０のデータ受信部６２６が、ステップＳ１４１１によって送信されたデータをバッファ６２５へ出力する（ステップＳ１４１２）。
【０１２５】
つぎに、バッファ６２５が、ステップＳ１４０７までのバッファリングデータの送信が終了し終わるまで、コアネットワーク２１０からのデータのバッファリングを行う（ステップＳ１４１３）。そして、バッファ６２５は、ステップＳ１４０７までのバッファリングデータの送信が終了し終わると、ステップＳ１４１３によってバッファリングされたデータをデータ送信部６２７へ出力する（ステップＳ１４１４）。これにより、コアネットワーク２１０からのデータとバッファリングデータとの順序保証を行うことができる。
【０１２６】
つぎに、データ送信部６２７が、ステップＳ１４１４によって出力されたデータを移動機２０１へ送信する（ステップＳ１４１５）。ステップＳ１４１５によって送信されたデータは移動機２０１のデータ受信部６０２によって受信される。
【０１２７】
また、ステップＳ１４１０において、ベアラ管理部６２３は、スモールセル基地局２３０にもベアラ切替要求を送信してもよい。これに対して、スモールセル基地局２３０は、移動機２０１との間のベアラのために確保している無線リソースを解放する。
【０１２８】
なお、ベアラ切替のタイミングによっては、ステップＳ１４１５によって送信されるデータに、スモールセル基地局２３０から移動機２０１に送信されたデータと重複するデータが含まれる場合がある。これに対して、マクロセル基地局２２０とスモールセル基地局２３０との間で同期済みであるため、移動機２０１は、重複データを選択合成して受信することができる。
【０１２９】
（複製ベアラ解放動作）
図１５は、複製ベアラ解放動作の一例を示すシーケンス図である。通信システム２００は、たとえば図１１に示したベアラ複製動作によって複製したベアラの解放動作として、たとえば図１５に示す各ステップのように動作する。
【０１３０】
図１５に示すステップＳ１５０１〜Ｓ１５０８は、図１３に示したステップＳ１３０１〜Ｓ１３０８と同様である。ただし、図１５に示す例では、ステップＳ１５０８において、電波状況が第３閾値を上回っていた（第３閾値より大きい）とする。つぎに、マクロセル基地局２２０の閾値管理部６２２が、電波状況が第３閾値より大きかった旨の判定結果をベアラ管理部６２３へ出力する（ステップＳ１５０９）。
【０１３１】
つぎに、ベアラ管理部６２３が、ベアラを削除することを通知するベアラ削除通知をスモールセル基地局２３０へ送信する（ステップＳ１５１０）。つぎに、スモールセル基地局２３０のベアラ管理部６３１が、データ複製の停止を要求するデータ複製停止要求をデータ複製部６３３へ出力する（ステップＳ１５１１）。
【０１３２】
つぎに、データ複製部６３３が、データ複製およびデータ転送を停止する（ステップＳ１５１２）。たとえば、データ複製部６３３は、図１２に示したステップＳ１２０３によるデータ複製と、図１２に示したステップＳ１２０６によるデータ転送と、を停止する。
【０１３３】
つぎに、データ複製部６３３が、データ転送を停止したことを示すデータ転送停止応答をベアラ管理部６３１へ出力する（ステップＳ１５１３）。つぎに、ベアラ管理部６３１が、データ転送を停止したことを通知するデータ転送停止通知をマクロセル基地局２２０へ送信する（ステップＳ１５１４）。
【０１３４】
つぎに、マクロセル基地局２２０のベアラ管理部６２３が、複製したベアラを削除する（ステップＳ１５１５）。ステップＳ１５１５によって削除されるベアラは、たとえば図１１に示したステップＳ１１０７によって設定されたベアラである。つぎに、ベアラ管理部６２３が、データ転送を停止したことを通知するデータ転送停止通知をデータ管理部６２４へ送信する（ステップＳ１５１６）。
【０１３５】
つぎに、データ管理部６２４が、バッファリングデータの削除を要求するデータ削除要求をバッファ６２５へ出力する（ステップＳ１５１７）。ステップＳ１５１７によって出力されるデータ削除要求は、たとえば、バッファ６２５においてバッファリングされている、ステップＳ１５１５によって削除されたベアラのすべてのデータを削除する要求である。つぎに、バッファ６２５が、ステップＳ１５１７によって出力されたデータ削除要求に基づいて、バッファリングデータの削除を行う（ステップＳ１５１８）。
【０１３６】
このように、スモールセル基地局２３０での電波状況が改善した場合は、スモールセル基地局２３０からマクロセル基地局２２０へのデータ転送を停止する。これにより、Ｘ２インターフェース２４３のトラヒックの圧迫を抑えることができる。
【０１３７】
（マクロセル基地局による処理）
図１６は、マクロセル基地局による処理の一例を示すフローチャート（その１）である。実施の形態２にかかるマクロセル基地局２２０は、たとえば図１６に示す各ステップを実行する。まず、マクロセル基地局２２０は、電波状況（受信電波強度）の最新の測定結果を読み込む（ステップＳ１６０１）。
【０１３８】
つぎに、マクロセル基地局２２０は、ステップＳ１６０１によって読み込んだ測定結果が示す受信電波強度が第１閾値未満であるか否かを判定する（ステップＳ１６０２）。受信電波強度が第１閾値以上である場合（ステップＳ１６０２：Ｎｏ）は、マクロセル基地局２２０は、ステップＳ１６０１へ戻る。
【０１３９】
ステップＳ１６０２において、受信電波強度が第１閾値未満である場合（ステップＳ１６０２：Ｙｅｓ）は、マクロセル基地局２２０は、スモールセル基地局２３０に設定されている移動機２０１のベアラを自局に複製する（ステップＳ１６０３）。また、マクロセル基地局２２０は、スモールセル基地局２３０から転送されるデータのバッファリングを開始する（ステップＳ１６０４）。
【０１４０】
図１７は、マクロセル基地局による処理の一例を示すフローチャート（その２）である。マクロセル基地局２２０は、図１６に示したステップＳ１６０４の後に、たとえば図１７に示す各ステップを実行する。
【０１４１】
まず、マクロセル基地局２２０は、電波状況（受信電波強度）の最新の測定結果を読み込む（ステップＳ１７０１）。つぎに、マクロセル基地局２２０は、ステップＳ１７０１によって読み込んだ測定結果が示す受信電波強度が第２閾値未満であるか否かを判定する（ステップＳ１７０２）。
【０１４２】
ステップＳ１７０２において、受信電波強度が第２閾値以上である場合（ステップＳ１７０２：Ｎｏ）は、マクロセル基地局２２０は、ステップＳ１７０３へ移行する。すなわち、マクロセル基地局２２０は、図１６のステップＳ１６０４によって開始したバッファリングのバッファリングデータの削除を行い（ステップＳ１７０３）、ステップＳ１７０１へ戻る。ステップＳ１７０３による削除対象のバッファリングデータは、たとえば、バッファリングデータのうちの、ステップＳ１７０１までにスモールセル基地局２３０から送信されたデータである。
【０１４３】
ステップＳ１７０２において、受信電波強度が第２閾値未満である場合（ステップＳ１７０２：Ｙｅｓ）は、マクロセル基地局２２０は、コアネットワーク２１０にベアラ切替要求を送信することによりベアラの切替を行う（ステップＳ１７０４）。ステップＳ１７０４によるベアラの切替は、移動機２０１への送信に用いるベアラを、スモールセル基地局２３０のベアラからマクロセル基地局２２０のベアラへ切り替えるものである。
【０１４４】
つぎに、マクロセル基地局２２０は、スモールセル基地局２３０から転送されてバッファ６２５に格納されているバッファリングデータを移動機２０１へ送信する（ステップＳ１７０５）。つぎに、マクロセル基地局２２０は、ステップＳ１７０４による切替後のベアラのデータ送信を開始する（ステップＳ１７０６）。
【０１４５】
図１８は、マクロセル基地局による処理の一例を示すフローチャート（その３）である。マクロセル基地局２２０は、図１６に示したステップＳ１６０４の後に、図１７に示した各ステップと並行して、たとえば図１８に示す各ステップを実行する。
【０１４６】
まず、マクロセル基地局２２０は、電波状況（受信電波強度）の最新の測定結果を読み込む（ステップＳ１８０１）。つぎに、マクロセル基地局２２０は、ステップＳ１８０１によって読み込んだ測定結果が示す受信電波強度が第３閾値より大きいか否かを判定する（ステップＳ１８０２）。受信電波強度が第３閾値以下である場合（ステップＳ１８０２：Ｎｏ）は、マクロセル基地局２２０は、ステップＳ１８０１へ戻る。
【０１４７】
ステップＳ１８０２において、受信電波強度が第３閾値より大きい場合（ステップＳ１８０２：Ｙｅｓ）は、マクロセル基地局２２０は、図１６のステップＳ１６０３によって自局に複製したベアラの削除を行う（ステップＳ１８０３）。つぎに、マクロセル基地局２２０は、ステップＳ１６０４によって開始したバッファリングのバッファリングデータの削除を行う（ステップＳ１８０４）。
【０１４８】
このように、実施の形態２によれば、移動機２０１におけるスモールセル２３１の電波状況（無線品質）の劣化を検知した場合に、スモールセル２３１で確立している移動機２０１のベアラをマクロセル２２１に複製することができる。そして、移動機２０１におけるスモールセル２３１の無線品質のさらなる劣化を検知した場合に、移動機２０１の通信に使用するベアラを複製ベアラに切り替えることができる。
【０１４９】
これにより、たとえばセル切替時にベアラの移動などを行わなくても、使用するベアラを複製ベアラに切り替えることでセル切替を行うことができる。このため、短時間でのセル切替が可能になり、セル切替時のスループット低下を抑えることができる。
【０１５０】
（実施の形態３）
実施の形態３について、実施の形態２と異なる部分について説明する。実施の形態２においては、移動機２０１におけるスモールセル２３１の電波状況の劣化を検知した場合に、スモールセル２３１で確立している移動機２０１のベアラをマクロセル２２１に複製する構成について説明した。
【０１５１】
これに対して、実施の形態３においては、移動機２０１の移動速度の増加を検知した場合に、スモールセル２３１で確立している移動機２０１のベアラをマクロセル２２１に複製する。これにより、移動機２０１の移動によって移動機２０１におけるスモールセル２３１の電波状況が劣化する前に、移動機２０１のベアラをマクロセル２２１に複製しておくことができる。
【０１５２】
（マクロセル基地局による処理）
図１９は、実施の形態３にかかるマクロセル基地局による処理の一例を示すフローチャート（その１）である。実施の形態３にかかるマクロセル基地局２２０は、たとえば図１９に示す各ステップを実行する。まず、マクロセル基地局２２０は、移動機２０１の速度（端末速度）の最新の測定結果を読み込む（ステップＳ１９０１）。端末速度は、たとえば移動機２０１が測定し、測定結果をマクロセル基地局２２０へ定期的に送信することで取得することができる。
【０１５３】
つぎに、マクロセル基地局２２０は、ステップＳ１９０１によって読み込んだ測定結果が示す端末速度が第１速度閾値より大きいか否かを判定する（ステップＳ１９０２）。端末速度が第１速度閾値以下である場合（ステップＳ１９０２：Ｎｏ）は、マクロセル基地局２２０は、ステップＳ１９０１へ戻る。
【０１５４】
ステップＳ１９０２において、端末速度が第１速度閾値より大きい場合（ステップＳ１９０２：Ｙｅｓ）は、マクロセル基地局２２０は、スモールセル基地局２３０に設定されている移動機２０１のベアラを自局に複製する（ステップＳ１９０３）。また、マクロセル基地局２２０は、スモールセル基地局２３０から転送されるデータのバッファリングを開始する（ステップＳ１９０４）。
【０１５５】
また、実施の形態３にかかるマクロセル基地局２２０は、図１９に示したステップＳ１９０４の後に、たとえば図１７に示した各ステップを実行する。
【０１５６】
図２０は、実施の形態３にかかるマクロセル基地局による処理の一例を示すフローチャート（その２）である。マクロセル基地局２２０は、図１９に示したステップＳ１９０４の後に、図１７に示した各ステップと並行して、たとえば図２０に示す各ステップを実行する。
【０１５７】
まず、マクロセル基地局２２０は、移動機２０１の速度（端末速度）の最新の測定結果を読み込む（ステップＳ２００１）。つぎに、マクロセル基地局２２０は、ステップＳ２００１によって読み込んだ測定結果が示す端末速度が第２速度閾値未満か否かを判定する（ステップＳ２００２）。端末速度が第２速度閾値以上である場合（ステップＳ２００２：Ｎｏ）は、マクロセル基地局２２０は、ステップＳ２００１へ戻る。
【０１５８】
ステップＳ２００２において、端末速度が第２速度閾値未満である場合（ステップＳ２００２：Ｙｅｓ）は、マクロセル基地局２２０は、図１９のステップＳ１９０３によって自局に複製したベアラの削除を行う（ステップＳ２００３）。つぎに、マクロセル基地局２２０は、ステップＳ１９０４によって開始したバッファリングのバッファリングデータの削除を行う（ステップＳ２００４）。
【０１５９】
このように、実施の形態３によれば、移動機２０１の移動速度の増加を検知した場合に、スモールセル２３１で確立している移動機２０１のベアラをマクロセル２２１に複製する。これにより、移動機２０１の移動によって移動機２０１におけるスモールセル２３１の電波状況が劣化する前に、移動機２０１のベアラをマクロセル２２１に複製しておくことができる。
【０１６０】
したがって、たとえばセル切替時にベアラの移動などを行わなくても、使用するベアラを複製ベアラに切り替えることでセル切替を行うことができる。このため、短時間でのセル切替が可能になり、セル切替時のスループット低下を抑えることができる。
【０１６１】
以上説明したように、基地局装置およびシステムによれば、セル切替時のスループットの低下を抑えることができる。
【０１６２】
たとえば、昨今、スマートフォンなどの高機能端末の普及により、モバイル端末を用いて利用するサービスが多様化し、端末ごとの通信量も増加してきている。また、モバイルネットワーク全体でもトラヒックが増加していく見込みである。トラヒック増加への対策の一つとして注目されているのがスモールセルの活用である。スモールセルを用いたネットワークでは、従来のマクロセルに比べ、収容ユーザが少なく、帯域の占有を行うことができ、高スループットを確保することが可能である。
【０１６３】
一方、スモールセルは、マクロセルに比べてカバーエリアが狭いため、移動機の移動に伴い、スモールセルからのハンドアウトが多発し、スモールセル経由で送信していたデータは受信不可になる。そのため、通常のハンドオーバと同様にスモールセルに対してのみハンドオーバを行う（マクロセルは通信を継続）ことが求められる。
【０１６４】
これに対して、上述した実施の形態によれば、マクロセルの通信を維持したまま、スモールセルからのハンドアウトに対し、スモールセルで通信していたデータを確実に移動機に届ける仕組みを提供することができる。
【０１６５】
また、通常のＬＴＥにおけるハンドオーバの場合は、Ｓ１インターフェースまたはＸ２インターフェースを用いてハードハンドオーバが行われる。その際、送信データを一度ハンドオーバ元でバッファし、ハンドオーバ完了後にハンドオーバ先へと転送される。そのため、ハンドオーバ実施時には一時的にスループットが低下する。
【０１６６】
一方、３ＧにおけるＤＨＯ（Ｄｉｖｅｒｓｉｔｙ  Ｈａｎｄ  Ｏｖｅｒ：基地局間ハンドオーバ）では、データ送信を止めずにハンドオーバを実施しているが、ハンドオーバ元やハンドオーバ先の双方で一時的に同一データの送信を行っている。このため、上位ネットワークや無線区間の負荷増加が発生する。
【０１６７】
これに対して、上述した実施の形態によれば、マクロセルで管理しているスモールセルの電波状況が悪化した場合に、マクロセルにスモールセルと同じベアラを予め設定することができる。これにより、スモールセルからマクロセルへのハンドオーバの際に、ハンドオーバ元でのデータバッファリングや同一データの無線区間への送信をなくし、スループット低下や無線区間の負荷増加を回避することができる。
【０１６８】
このため、たとえば、異ノード、異周波数による同時通信を行っている環境下での、スモールセルからマクロセルへのハンドオーバにおいて、スループット低下や、上位ネットワークや無線区間の負荷を回避することが可能になる。
【符号の説明】
【０１６９】
１００  システム
１０１  端末装置
１１０  第１基地局装置
１１１  第１セル
１２０  第２基地局装置
１２１  第２セル
１２２  取得部
１２３  制御部
２００  通信システム
２０１，８００  移動機
２１０  コアネットワーク
２１１  上位装置
２２０  マクロセル基地局
２２１  マクロセル
２３０  スモールセル基地局
２３１  スモールセル
２４１，２４２  Ｓ１インターフェース
２４３  Ｘ２インターフェース
２５１，２５２  ＲＲＣ
３３０  プロトコルスタック
５０１〜５０３  電波状況変化
６０１  電波状況測定部
６０２，６２６，６３２  データ受信部
６１１，６２３，６３１  ベアラ管理部
６１２，６２７，６３４  データ送信部
６２１  電波状況監視部
６２２  閾値管理部
６２４  データ管理部
６２５  バッファ
６３３  データ複製部
７００  基地局
７０１，８０１  アンテナ
７０２，８０２  アンプ
７０３，８０３  プロセッサ
７０４，８０４  メモリ
７０５  伝送路インターフェース
７０６  ネットワーク
９００  電波状況監視テーブル
【図１Ａ】
2015177846.tif 000003
【図１Ｂ】
2015177846.tif 000004
【図２Ａ】
2015177846.tif 000005
【図２Ｂ】
2015177846.tif 000006
【図３Ａ】
2015177846.tif 000007
【図３Ｂ】
2015177846.tif 000008
【図３Ｃ】
2015177846.tif 000009
【図４】
2015177846.tif 000010
【図５】
2015177846.tif 000011
【図６Ａ】
2015177846.tif 000012
【図６Ｂ】
2015177846.tif 000013
【図７Ａ】
2015177846.tif 000014
【図７Ｂ】
2015177846.tif 000015
【図８Ａ】
2015177846.tif 000016
【図８Ｂ】
2015177846.tif 000017
【図９】
2015177846.tif 000018
【図１０Ａ】
2015177846.tif 000019
【図１０Ｂ】
2015177846.tif 000020
【図１１】
2015177846.tif 000021
【図１２】
2015177846.tif 000022
【図１３】
2015177846.tif 000023
【図１４】
2015177846.tif 000024
【図１５】
2015177846.tif 000025
【図１６】
2015177846.tif 000026
【図１７】
2015177846.tif 000027
【図１８】
2015177846.tif 000028
【図１９】
2015177846.tif 000029
【図２０】
2015177846.tif 000030
【手続補正書】
【提出日】平成28年11月10日(2016.11.10)
【手続補正１】
【補正対象書類名】特許請求の範囲
【補正対象項目名】全文
【補正方法】変更
【補正の内容】
【特許請求の範囲】
【請求項１】
第１セルおよび第２セルに接続し前記第１セルに設定された第１ベアラによって通信を行う端末装置における測定結果を示す測定報告を取得する取得部と、
前記取得部によって取得された前記測定報告に基づいて、前記測定報告が第１条件を満たすと前記第１ベアラを複製した第２ベアラを前記第２セルに設定し、前記測定報告が前記第１条件とは異なる第２条件を満たすと前記端末装置の通信のベアラを前記第１ベアラから前記第２ベアラに切り替える制御部と、
を備えることを特徴とする基地局装置。
【請求項２】
前記取得部が取得する前記端末装置からの測定報告には、前記端末装置における前記第１セルの無線品質に関する情報が含まれており、
前記制御部は、前記無線品質が第１所定値を下回ると前記第１ベアラを複製した第２ベアラを前記第２セルに設定し、前記無線品質が前記第１所定値より低い第２所定値を下回ると前記端末装置の通信のベアラを前記第１ベアラから前記第２ベアラに切り替える、
ことを特徴とする請求項１に記載の基地局装置。
【請求項３】
前記取得部が取得する前記端末装置からの測定報告には、前記第１セルに設定された前記第１ベアラによって通信を行う端末装置の移動速度に関する情報、および前記端末装置における前記第１セルの無線品質に関する情報が含まれており、
前記制御部は、前記移動速度が所定速度を上回ると前記第１ベアラを複製した第２ベアラを前記第２セルに設定し、前記無線品質が所定値を下回ると前記端末装置の通信のベアラを前記第１ベアラから前記第２ベアラに切り替える、
ことを特徴とする請求項１に記載の基地局装置。
【請求項４】
前記制御部は、
前記無線品質が前記第１所定値を下回ると、前記第１セルが前記第１ベアラで前記端末装置へ送信するデータの複製データを前記第１セルの基地局装置から前記第２セルの基地局装置へ送信させ、前記第２セルの基地局に前記複製データをバッファリングさせ、
前記無線品質が前記第２所定値を下回ると、前記複製データを前記第２ベアラで前記第２セルの基地局装置から前記端末装置へ送信させる、
ことを特徴とする請求項２に記載の基地局装置。
【請求項５】
前記制御部は、前記端末装置の通信のベアラを前記第２ベアラに切り替えた後に、前記複製データのうちの、前記無線品質が前記第２所定値を下回っていなかった時点までの複製データを前記第２ベアラで前記端末装置へ送信させることを特徴とする請求項４に記載の基地局装置。
【請求項６】
前記制御部は、前記無線品質が前記第１所定値を下回った後に前記第１所定値以上の第３所定値を上回ると、前記第２ベアラを削除することを特徴とする請求項２、４または５に記載の基地局装置。
【請求項７】
前記制御部は、前記無線品質が前記第１所定値を下回った後に前記第１所定値以上の第３所定値を上回ると、前記第１セルの基地局装置から前記第２セルの基地局装置への前記複製データの送信を停止させることを特徴とする請求項４または５に記載の基地局装置。
【請求項８】
第１セルおよび第２セルに接続し前記第１セルに設定された第１ベアラによって通信を行う端末装置と、
前記端末装置における測定結果が第１条件を満たすと前記第１ベアラを複製した第２ベアラを前記第２セルに設定し、前記測定結果が前記第１条件とは異なる第２条件を満たすと前記端末装置の通信のベアラを前記第１ベアラから前記第２ベアラに切り替える基地局装置と、
を含むことを特徴とするシステム。
【手続補正２】
【補正対象書類名】明細書
【補正対象項目名】全文
【補正方法】変更
【補正の内容】
【発明の詳細な説明】
【技術分野】
【０００１】
本発明は、基地局装置およびシステムに関する。
【背景技術】
【０００２】
従来、ＬＴＥ（Ｌｏｎｇ  Ｔｅｒｍ  Ｅｖｏｌｕｔｉｏｎ）などの通信システムが知られている。また、移動機のハンドオーバ時に予め切替先のベアラを設定する技術が知られている（たとえば、下記特許文献１参照。）。また、移動機がアイドル状態からアクティブ状態に遷移する際に、アクセスするセルを事前に選択する技術が知られている（たとえば、下記特許文献２参照。）。
【先行技術文献】
【特許文献】
【０００３】
【特許文献１】特開２０１３−２２３２１８号公報
【特許文献２】国際公開第２００８／０２３６０９号
【発明の概要】
【発明が解決しようとする課題】
【０００４】
しかしながら、上述した従来技術では、たとえばスモールセルからマクロセルへのハンドオーバなどのセル切替に時間がかかり、セル切替時のスループットの低下を抑えることができないという問題がある。
【０００５】
１つの側面では、本発明は、セル切替時のスループットの低下を抑えることができる基地局装置およびシステムを提供することを目的とする。
【課題を解決するための手段】
【０００６】
上述した課題を解決し、目的を達成するため、本発明の一側面によれば、第１セルおよび第２セルに接続し前記第１セルに設定された第１ベアラによって通信を行う端末装置における測定結果を示す測定報告が第１条件を満たすと前記第１ベアラを複製した第２ベアラを前記第２セルに設定し、前記測定報告が前記第１条件とは異なる第２条件を満たすと前記端末装置の通信のベアラを前記第１ベアラから前記第２ベアラに切り替える基地局装置およびシステムが提案される。
【発明の効果】
【０００７】
本発明の一側面によれば、セル切替時のスループットの低下を抑えることができるという効果を奏する。
【図面の簡単な説明】
【０００８】
【図１Ａ】図１Ａは、実施の形態１にかかるシステムの一例を示す図である。
【図１Ｂ】図１Ｂは、図１Ａに示したシステムにおける信号の流れの一例を示す図である。
【図２Ａ】図２Ａは、実施の形態２にかかる通信システムの一例を示す図である。
【図２Ｂ】図２Ｂは、プロトコルアーキテクチャの一例を示す図である。
【図３Ａ】図３Ａは、ベアラ切替の一例を示す図（その１）である。
【図３Ｂ】図３Ｂは、ベアラ切替の一例を示す図（その２）である。
【図３Ｃ】図３Ｃは、Ｕ−Ｐｌａｎｅのプロトコルスタックの一例を示す図である。
【図４】図４は、通信システムの動作の一例を示す図である。
【図５】図５は、各閾値の一例を示す図である。
【図６Ａ】図６Ａは、通信システムの各装置の構成の一例を示す図である。
【図６Ｂ】図６Ｂは、図６Ａに示した通信システムの各装置の構成における信号の流れの一例を示す図である。
【図７Ａ】図７Ａは、各基地局のハードウェア構成の一例を示す図である。
【図７Ｂ】図７Ｂは、図７Ａに示した各基地局のハードウェア構成における信号の流れの一例を示す図である。
【図８Ａ】図８Ａは、移動機のハードウェア構成の一例を示す図である。
【図８Ｂ】図８Ｂは、図８Ａに示した移動機のハードウェア構成における信号の流れの一例を示す図である。
【図９】図９は、電波状況監視部によって監視される情報の一例を示す図である。
【図１０Ａ】図１０Ａは、電波状況管理動作の一例を示すシーケンス図（その１）である。
【図１０Ｂ】図１０Ｂは、電波状況管理動作の一例を示すシーケンス図（その２）である。
【図１１】図１１は、ベアラ複製動作の一例を示すシーケンス図である。
【図１２】図１２は、ベアラ複製後のデータ転送の一例を示すシーケンス図である。
【図１３】図１３は、データバッファリング動作の一例を示すシーケンス図である。
【図１４】図１４は、ベアラ切替動作の一例を示すシーケンス図である。
【図１５】図１５は、複製ベアラ解放動作の一例を示すシーケンス図である。
【図１６】図１６は、マクロセル基地局による処理の一例を示すフローチャート（その１）である。
【図１７】図１７は、マクロセル基地局による処理の一例を示すフローチャート（その２）である。
【図１８】図１８は、マクロセル基地局による処理の一例を示すフローチャート（その３）である。
【図１９】図１９は、実施の形態３にかかるマクロセル基地局による処理の一例を示すフローチャート（その１）である。
【図２０】図２０は、実施の形態３にかかるマクロセル基地局による処理の一例を示すフローチャート（その２）である。
【発明を実施するための形態】
【０００９】
以下に図面を参照して、本発明にかかる基地局装置およびシステムの実施の形態を詳細に説明する。
【００１０】
（実施の形態１）
（実施の形態１にかかるシステム）
図１Ａは、実施の形態１にかかるシステムの一例を示す図である。図１Ｂは、図１Ａに示したシステムにおける信号の流れの一例を示す図である。図１Ａ，図１Ｂに示すように、実施の形態１にかかるシステム１００は、第１基地局装置１１０と、第２基地局装置１２０と、端末装置１０１と、を含む。
【００１１】
第１セル１１１は、第１基地局装置１１０のセルである。第２セル１２１は、第２基地局装置１２０のセルである。第１セル１１１は、少なくとも一部が第２セル１２１と重複するセルである。たとえば、第１セル１１１は第２セル１２１に包含されていてもよい。
【００１２】
端末装置１０１は、第１セル１１１と第２セル１２１との重複部分に位置しており、第１セル１１１および第２セル１２１と同時に接続している。また、端末装置１０１は、第１セル１１１に設定された第１ベアラによって通信を行っているとする。なお、このとき、端末装置１０１は、同時に第２セル１２１に設定された他のベアラによる通信を行っていてもよい。
【００１３】
第２基地局装置１２０は、たとえば第１セル１１１と第２セル１２１とを管理する基地局装置である。第２基地局装置１２０は、取得部１２２と、制御部１２３と、を備える。
【００１４】
取得部１２２は、端末装置１０１における測定結果を示す測定報告を取得する。たとえば、取得部１２２は、第１セル１１１における端末装置１０１の無線品質に関する無線品質情報を取得する。無線品質に関する無線品質情報は、たとえば無線品質を示す情報である。無線品質は、たとえばＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）などの受信電波強度である。取得部１２２は、取得した無線品質情報を制御部１２３へ出力する。
【００１５】
たとえば、取得部１２２は、図１Ａ，図１Ｂに示す例のように端末装置１０１から無線送信される無線品質情報を直接受信する。または、取得部１２２は、端末装置１０１からの無線品質情報を、たとえば第１基地局装置１１０を介して取得してもよい。
【００１６】
制御部１２３は、取得部１２２から出力された無線品質情報に基づいて、端末装置１０１の通信に用いるベアラの切替を行う。たとえば、制御部１２３は、端末装置１０１における第１基地局装置１１０の無線品質が第１所定値を下回ると（第１条件を満たすと）、第１セル１１１に設定された端末装置１０１の第１ベアラを複製した第２ベアラを第２セル１２１に設定する。
【００１７】
また、制御部１２３は、端末装置１０１における第１基地局装置１１０の無線品質が第２所定値を下回ると（第２条件を満たすと）、端末装置１０１の通信のベアラを第１ベアラから第２ベアラに切り替える。これにより、端末装置１０１の通信に使用されるセルが第１セル１１１から第２セル１２１へ切り替わる。第２所定値は、第１所定値より低い値である。
【００１８】
このように、実施の形態１によれば、端末装置１０１における第１セル１１１の無線品質の劣化を検知した場合に、第１セル１１１で確立している端末装置１０１のベアラを第２セル１２１に複製することができる。そして、端末装置１０１における第１セル１１１の無線品質のさらなる劣化を検知した場合に、端末装置１０１の通信に使用するベアラを複製ベアラに切り替えることができる。
【００１９】
これにより、たとえばセル切替時にベアラの移動などを行わなくても、使用するベアラを複製ベアラに切り替えることでセル切替を行うことができる。このため、短時間でのセル切替が可能になり、セル切替時のスループット低下を抑えることができる。
【００２０】
なお、第２基地局装置１２０が取得部１２２および制御部１２３を備える構成について説明したが、第１基地局装置１１０が取得部１２２および制御部１２３を備える構成としてもよい。
【００２１】
また、無線品質情報が無線品質を示す情報である場合について説明したが、無線品質情報は、無線品質に関する無線品質情報が第１所定値以下であることを示す情報や、無線品質に関する無線品質情報が第２所定値以下であることを示す情報などであってもよい。
【００２２】
＜バッファリング＞
制御部１２３は、端末装置１０１における第１セル１１１の無線品質が第１所定値を下回り、複製ベアラを第２セル１２１に設定した場合に、以下のバッファリングを制御してもよい。すなわち、制御部１２３は、第１セル１１１が第１ベアラで端末装置１０１へ送信するデータの複製データを第１基地局装置１１０から第２基地局装置１２０へ送信させ、第２基地局装置１２０に複製データをバッファリングさせる制御を行ってもよい。
【００２３】
この場合に、制御部１２３は、端末装置１０１における第１セル１１１の無線品質が第２所定値を下回り、端末装置１０１の通信に使用するベアラを複製ベアラに切り替えると、以下の制御を行う。すなわち、制御部１２３は、第２基地局装置１２０にバッファリングさせておいた複製データを第２ベアラで端末装置１０１へ送信させる。これにより、ベアラ切替時に短時間で第２ベアラでのデータ送信を開始することができる。このため、セル切替時のスループット低下を抑えることができる。
【００２４】
また、この場合に、制御部１２３は、端末装置１０１の通信に使用するベアラを複製ベアラに切り替えた後に、第２基地局装置１２０に対して、他の通信装置から受信した端末装置１０１へのデータをバッファリングしながら、複製データの送信を行わせてもよい。他の通信装置は、たとえば第２基地局装置１２０の上位装置である。
【００２５】
そして、制御部１２３は、第２基地局装置１２０に対して、複製データの送信が完了した後に、他の通信装置から受信してバッファリングしておいた端末装置１０１へのデータの第２ベアラでの送信を開始させる。これにより、端末装置１０１における第１セル１１１の無線品質が第２所定値を下回るまでのデータ（複製データ）と、端末装置１０１における第１セル１１１の無線品質が第２所定値を下回ってからのデータと、の順序保証を行うことができる。
【００２６】
＜送信対象の複製データ＞
制御部１２３は、第２基地局装置１２０がベアラ切替後に送信する複製データを、バッファリングした複製データのうちの、端末装置１０１における第１セル１１１の無線品質が第２所定値を下回っていなかった時点までの複製データとしてもよい。これにより、端末装置１０１が第１セル１１１から正常に受信できた可能性が高いデータを第２セル１２１から再度送信することを抑制することができる。
【００２７】
この場合に、制御部１２３は、端末装置１０１における第１セル１１１の無線品質が第１所定値を下回り第２所定値を下回っていない場合は、第２基地局装置１２０がバッファリングしている複製データを順次削除させる制御を行ってもよい。これにより、第２基地局装置１２０におけるバッファリングのためのメモリの使用量を削減することができる。
【００２８】
＜無線品質の改善時の処理＞
また、制御部１２３は、端末装置１０１における第１セル１１１の無線品質が第１所定値を下回った後に第３所定値を上回った場合に、第２セル１２１に設定した第２ベアラを削除してもよい。第３所定値は、第１所定値以上の値である。これにより、端末装置１０１における第１セル１１１の無線品質が改善した場合に第２セル１２１における無線リソースを解放し、無線リソースの使用効率を向上させることができる。
【００２９】
また、制御部１２３は、端末装置１０１における第１セル１１１の無線品質が第１所定値を下回った後に第３所定値を上回った場合に、第１基地局装置１１０から第２基地局装置１２０への複製データの送信を停止させる制御を行ってもよい。これにより、端末装置１０１における第１セル１１１の無線品質が改善した場合に第１基地局装置１１０と第２基地局装置１２０との間のトラヒックを低減することができる。
【００３０】
＜変形例＞
取得部１２２は、端末装置１０１の移動速度と、端末装置１０１における第１セル１１１の無線品質と、に関する情報を取得してもよい。この情報は、たとえば端末装置１０１の移動速度および無線品質を示す情報である。この場合に、制御部１２３は、端末装置１０１の移動速度が所定速度を上回ると、第１セル１１１に設定された端末装置１０１の第１ベアラを複製した第２ベアラを第２セル１２１に設定する。
【００３１】
また、制御部１２３は、端末装置１０１における第１基地局装置１１０の無線品質が所定値（たとえば上述した第２所定値）を下回ると、端末装置１０１の通信のベアラを第１ベアラから第２ベアラに切り替える。これにより、端末装置１０１の通信に使用されるセルが第１セル１１１から第２セル１２１へ切り替わる。第２所定値は、第１所定値より低い値である。
【００３２】
このように、実施の形態１において、端末装置１０１の移動速度の増加を検知した場合に、第１セル１１１で確立している端末装置１０１のベアラを第２セル１２１に複製するようにしてもよい。そして、端末装置１０１における第１セル１１１の無線品質の劣化を検知した場合に、端末装置１０１の通信に使用するベアラを複製ベアラに切り替える。
【００３３】
これにより、端末装置１０１の移動によって端末装置１０１における第１セル１１１の無線品質が劣化する前に、端末装置１０１のベアラを第２セル１２１に複製しておくことができる。したがって、たとえばセル切替時にベアラの移動などを行わなくても、使用するベアラを複製ベアラに切り替えることでセル切替を行うことができる。このため、短時間でのセル切替が可能になり、セル切替時のスループット低下を抑えることができる。
【００３４】
また、取得部１２２が取得する情報が移動速度を示す情報である場合について説明したが、取得部１２２が取得する情報は、移動速度が所定速度を上回ったことを示す情報などであってもよい。
【００３５】
また、制御部１２３は、端末装置１０１の移動速度が所定速度を上回り、かつ無線品質が第１所定値を下回った場合に、第１セル１１１に設定された端末装置１０１の第１ベアラを複製した第２ベアラを第２セル１２１に設定するようにしてもよい。
【００３６】
（実施の形態２）
（実施の形態２にかかる通信システム）
図２Ａは、実施の形態２にかかる通信システムの一例を示す図である。図２Ａに示すように、実施の形態２にかかる通信システム２００は、コアネットワーク２１０と、マクロセル基地局２２０と、スモールセル基地局２３０と、移動機２０１と、を含む。通信システム２００は、たとえば３ＧＰＰ（３ｒｄ  Ｇｅｎｅｒａｔｉｏｎ  Ｐａｒｔｎｅｒｓｈｉｐ  Ｐｒｏｊｅｃｔ）で規定されるＬＴＥなどの通信システムである。
【００３７】
図１Ａ，図１Ｂに示したシステム１００は、たとえば通信システム２００により実現することができる。この場合に、図１Ａ，図１Ｂに示した第１基地局装置１１０は、たとえばマクロセル基地局２２０により実現することができる。また、図１Ａ，図１Ｂに示した第２基地局装置１２０は、たとえばスモールセル基地局２３０により実現することができる。また、図１Ａ，図１Ｂに示した端末装置１０１は、たとえば移動機２０１により実現することができる。
【００３８】
上位装置２１１は、コアネットワーク２１０に含まれる通信装置であって、マクロセル基地局２２０およびスモールセル基地局２３０の上位装置である。たとえば、上位装置２１１は、ＳＧＷ（Ｓｅｒｖｉｎｇ  Ｇａｔｅｗａｙ）などである。
【００３９】
マクロセル２２１は、マクロセル基地局２２０が形成するセルである。マクロセル基地局２２０は、たとえばｅＮＢ（ｅｖｏｌｖｅｄ  Ｎｏｄｅ  Ｂ）である。スモールセル２３１は、スモールセル基地局２３０が形成するセルである。スモールセル２３１は、たとえば、フェムトセル、ピコセル、ナノセルなどの、マクロセル２２１と比べて範囲が小さいセルである。
【００４０】
マクロセル基地局２２０およびスモールセル基地局２３０は、それぞれＳ１インターフェース２４１，２４２によってコアネットワーク２１０の上位装置２１１と接続されている。また、マクロセル基地局２２０およびスモールセル基地局２３０は、Ｘ２インターフェース２４３によって互いに接続されている。
【００４１】
移動機２０１は、たとえばＵＥ（Ｕｓｅｒ  Ｅｑｕｉｐｍｅｎｔ：ユーザ端末）である。移動機２０１は、マクロセル基地局２２０およびスモールセル基地局２３０に接続可能である。また、移動機２０１は、マクロセル基地局２２０およびスモールセル基地局２３０と同時に通信を行い、マクロセル基地局２２０およびスモールセル基地局２３０からそれぞれ別のデータ（たとえばＵ−Ｐｌａｎｅデータ）を受信可能である。
【００４２】
この場合に、コアネットワーク２１０の上位装置２１１は、それぞれ別のデータをマクロセル基地局２２０およびスモールセル基地局２３０へ送信する。たとえば、移動機２０１は、それぞれ異なる周波数によってマクロセル基地局２２０およびスモールセル基地局２３０と同時に通信を行う。
【００４３】
また、上位装置２１１は、移動機２０１へ送信するデータの転送経路を、データの種類に応じて選択してもよい。たとえば、上位装置２１１は、高スループットよりも確実な通信を要する音声通信などのデータについては、マクロセル基地局２２０を経由して移動機２０１へ送信する。音声通信は、たとえばＶｏＩＰ（Ｖｏｉｃｅ  ｏｖｅｒ  ＩＰ）やＶｏＬＴＥ（Ｖｏｉｃｅ  ｏｖｅｒ  ＬＴＥ）などである。また、上位装置２１１は、高スループットを要するストリーミングなどの通信についてはスモールセル基地局２３０を経由して移動機２０１へ送信する。
【００４４】
（プロトコルアーキテクチャ）
図２Ｂは、プロトコルアーキテクチャの一例を示す図である。図２Ｂに示すＲＲＣ２５１（Ｒａｄｉｏ  Ｒｅｓｏｕｒｃｅ  Ｃｏｎｔｒｏｌ：無線リソース制御）は、マクロセル基地局２２０におけるＲＲＣの制御部である。ＲＲＣ２５２は、移動機２０１におけるＲＲＣの制御部である。
【００４５】
マクロセル基地局２２０と移動機２０１との間のＲＲＣは、それぞれＲＲＣ２５１，２５２によって終端される。また、スモールセル基地局２３０を経由する移動機２０１の通信のＲＲＣについてもＲＲＣ２５１，２５２によって終端される。このように、マクロセル基地局２２０のＲＲＣ２５１においては、マクロセル２２１のＵ−Ｐｌａｎｅ経路と、スモールセル２３１のＵ−Ｐｌａｎｅ経路と、の両方の管理が行われる。
【００４６】
（ベアラ切替）
図３Ａおよび図３Ｂは、ベアラ切替の一例を示す図である。図３Ａ，図３Ｂに示すように、たとえば、マクロセル基地局２２０と移動機２０１との間には、セル＃１を用いたベアラ＃１と、セル＃２を用いたベアラ＃２と、が設定される。そして、マクロセル基地局２２０および移動機２０１は、たとえば、図３Ａに示すようにベアラ＃１を用いて通信を行う状態から、図３Ｂに示すようにベアラ＃２を用いて通信を行う状態へ切り替えるベアラ切替を行う。
【００４７】
このように、移動機２０１に対して複数のベアラを設定し、セル切替時に、使用するベアラを切り替えることで通信を継続させることができる。これにより、たとえばハンドオーバと比べて短時間でのセル切替が可能になる。
【００４８】
実施の形態２においては、スモールセル基地局２３０を経由する移動機２０１のベアラをマクロセル基地局２２０に複製することで複数のベアラを設定し、使用するベアラをスモールセル基地局２３０のベアラからマクロセル基地局２２０のベアラへ切り替える。これにより、短時間でのセル切替が可能になる。
【００４９】
（Ｕ−Ｐｌａｎｅのプロトコルスタック）
図３Ｃは、Ｕ−Ｐｌａｎｅのプロトコルスタックの一例を示す図である。図３Ｃに示すプロトコルスタック３３０は、たとえばＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）におけるＵ−Ｐｌａｎｅのプロトコルスタックである。上述したベアラの複製は、たとえばＰＤＣＰ（Ｐａｃｋｅｔ  Ｄａｔａ  Ｃｏｎｖｅｒｇｅｎｃｅ  Ｐｒｏｔｏｃｏｌ）レイヤによって行うことができる。
【００５０】
図３Ｃに示す移動機はたとえば移動機２０１である。図３Ｃに示すマクロセル基地局はたとえばマクロセル基地局２２０である。図３Ｃに示すＳＧＷはたとえば上位装置２１１である。図３Ｃに示すｓｅｒｖｅｒは、コアネットワーク２１０に設けられ移動機２０１と通信を行うサーバである。
【００５１】
（通信システムの動作）
図４は、通信システムの動作の一例を示す図である。図４において、図２Ａに示した部分と同様の部分については同一の符号を付して説明を省略する。
【００５２】
＜マクロセルによるスモールセルの電波状況管理＞
マクロセル基地局２２０は、移動機２０１から送信される電波状況の測定結果を監視することで、スモールセル基地局２３０を用いた通信の電波状況を監視する。移動機２０１は、たとえば位置登録時などに電波状況の測定結果をマクロセル基地局２２０へ送信する。また、マクロセル基地局２２０は、定期的に移動機２０１に対して電波状況の測定要求を行い、移動機２０１は、測定要求に対して電波状況の測定結果をマクロセル基地局２２０へ送信する。
【００５３】
＜マクロセルへのベアラ複製＞
移動機２０１からの電波状況の測定結果が第１閾値（ベアラ設定閾値）を下回っていた場合、マクロセル基地局２２０は、スモールセル基地局２３０に移動機２０１に関するベアラ情報を要求する。そして、マクロセル基地局２２０は、スモールセル基地局２３０と同じベアラをマクロセル基地局２２０に設定する。
【００５４】
＜スモールセルからマクロセルへのデータ転送＞
スモールセル基地局２３０は、コアネットワーク２１０から受信したデータを移動機２０１およびマクロセル基地局２２０のそれぞれの送信用に複製する。そして、スモールセル基地局２３０は、移動機２０１へのデータ送信と並行して、マクロセル基地局２２０へのデータ転送を行う。このデータ転送は、たとえばＸ２インターフェース２４３を介して行われる。
【００５５】
＜マクロセルでのデータバッファリング＞
マクロセル基地局２２０は、スモールセル基地局２３０から転送されたデータをベアラ切替までバッファリングする。また、マクロセル基地局２２０は、定期的に電波状況を監視し、電波状況の測定結果が第２閾値（ベアラ切替閾値）を下回らない場合は不要なバッファリングデータを削除する。
【００５６】
＜ベアラ切替＞
マクロセル基地局２２０は、電波状況の測定結果が第２閾値（ベアラ切替閾値）を下回った場合は、コアネットワーク２１０にベアラの切替要求を行うことでベアラ切替を行うとともに、バッファリングデータを移動機２０１へ送信する。このとき、マクロセル基地局２２０は、スモールセル基地局２３０から転送されたデータとコアネットワーク２１０から送信されるデータの順序保証を行いながら移動機２０１にデータを送信する。すなわち、マクロセル基地局２２０は、ベアラ切替後、コアネットワーク２１０から送信されるデータをバッファリングデータの送信完了後に送信する。
【００５７】
＜ベアラ削除＞
マクロセル基地局２２０は、電波状況の測定結果が第３閾値（ベアラ削除閾値）を上回った場合は、マクロセル基地局２２０に設定していたベアラを削除し、バッファリングデータの削除を行う。また、マクロセル基地局２２０は、スモールセル基地局２３０においてデータの複製および転送が開始されていた場合は、スモールセル基地局２３０に対してこれらの複製および転送の停止を要求する停止要求を行う。ベアラの削除およびバッファリングデータの削除は、たとえば停止要求によって複製および転送後に行われる。
【００５８】
これにより、移動機２０１へのデータ送信を止めなくてもスモールセル基地局２３０からマクロセル基地局２２０へのベアラ切替が可能になる。このため、セル切替におけるスループットの低下を抑えることができる。また、無線区間へ同一データを送信しなくてもベアラ切替が可能になるため、無線区間の負荷の軽減を図ることができる。
【００５９】
（各閾値）
図５は、各閾値の一例を示す図である。図５において、縦軸は電波状況を示している。電波状況は、たとえばＲＳＳＩなどの受信電波強度である。受信電波強度が高いほど電波状況が良く、受信電波強度が低いほど電波状況が悪い。
【００６０】
図５に示すように、第１閾値、第２閾値および第３閾値は、たとえば第２閾値＜第１閾値＜第３閾値の関係を有する。ただし、第１閾値＝第３閾値としてもよい。第１閾値、第２閾値および第３閾値は、たとえば任意に変更可能なパラメータであり、たとえば通信キャリアにて個別に設定が可能なパラメータとしてもよい。
【００６１】
第１閾値は、スモールセル基地局２３０の電波状況の劣化を検出し、予めマクロセル基地局２２０にベアラを設定（複製）するための閾値である。第２閾値は、スモールセル基地局２３０の電波状況の劣化を検出し、マクロセル基地局２２０への切替を行うための閾値である。第３閾値は、スモールセル基地局２３０の電波状況の改善を検出し、マクロセル基地局２２０に設定したベアラを解放するための閾値である。
【００６２】
電波状況変化５０１〜５０３は、移動機２０１から報告される電波状況の変化を示している。たとえば、電波状況変化５０１のように、電波状況が第１閾値を下回ると、スモールセル基地局２３０における通信状況が劣化したと判断することができる。この場合は、スモールセル基地局２３０は、データの複製およびマクロセル基地局２２０への転送を開始する。これに対して、マクロセル基地局２２０は、マクロセル基地局２２０のベアラを自局に複製（無線リソースの確保）し、マクロセル基地局２２０からの転送データのバッファリングを開始する。
【００６３】
つぎに、電波状況変化５０２のように、電波状況が第２閾値も下回ると、スモールセル基地局２３０における通信状況がさらに劣化し、スモールセル基地局２３０における通信が困難になったと判断することができる。この場合は、マクロセル基地局２２０は、移動機２０１のベアラをスモールセル基地局２３０からマクロセル基地局２２０に切り替えるベアラ切替を行う。これにより、移動機２０１へのデータ送信を継続することができる。
【００６４】
また、電波状況変化５０３のように、電波状況が第３閾値を超えると、スモールセル基地局２３０における通信状況が改善したと判断することができる。この場合は、マクロセル基地局２２０は、電波状況変化５０１において設定したベアラを削除（無線リソースを解放）し、バッファリングデータを削除する。また、スモールセル基地局２３０は、データの複製および転送を停止し、移動機２０１へのデータ送信を継続する。
【００６５】
（通信システムの各装置の構成）
図６Ａは、通信システムの各装置の構成の一例を示す図である。図６Ｂは、図６Ａに示した通信システムの各装置の構成における信号の流れの一例を示す図である。図６Ａ，図６Ｂに示すように、コアネットワーク２１０は、ベアラ管理部６１１と、データ送信部６１２と、を備える。
【００６６】
ベアラ管理部６１１は、マクロセル基地局２２０およびスモールセル基地局２３０のＵ−Ｐｌａｎｅ経路の管理を行う。データ送信部６１２は、マクロセル基地局２２０およびスモールセル基地局２３０へのデータを送信する。
【００６７】
＜マクロセル基地局＞
マクロセル基地局２２０は、電波状況監視部６２１と、閾値管理部６２２と、ベアラ管理部６２３と、データ管理部６２４と、バッファ６２５と、データ受信部６２６と、データ送信部６２７と、を備える。
【００６８】
電波状況監視部６２１は、移動機２０１に対して電波状況の測定要求を定期的に送信する。また、電波状況監視部６２１は、測定要求に対して移動機２０１から送信された電波状況の測定結果を受信する。電波状況監視部６２１は、受信した電波状況の測定結果を閾値管理部６２２へ出力する。
【００６９】
閾値管理部６２２は、上述した第１閾値、第２閾値、第３閾値を記憶している。閾値管理部６２２は、電波状況監視部６２１から出力された電波状況の測定結果が示す受信電波強度と各閾値とを比較し、比較結果をベアラ管理部６２３およびデータ管理部６２４へ出力する。
【００７０】
ベアラ管理部６２３は、マクロセル基地局２２０およびスモールセル基地局２３０のベアラを管理する。また、ベアラ管理部６２３は、閾値管理部６２２から出力された比較結果に基づいて、マクロセル基地局２２０のベアラ設定およびコアネットワーク２１０へのベアラ切替要求を行う。
【００７１】
データ管理部６２４は、閾値管理部６２２から出力された比較結果に基づいて、バッファ６２５においてバッファリングされているデータの削除を行う。また、データ管理部６２４は、閾値管理部６２２から出力された比較結果に基づいて、バッファ６２５においてバッファリングされているデータの送信の管理を行う。
【００７２】
バッファ６２５は、データ受信部６２６から出力された各データのバッファリングを行う。また、バッファ６２５は、データ管理部６２４からの制御によって、バッファリングデータの削除や、バッファリングデータのデータ送信部６２７への出力を行う。
【００７３】
データ受信部６２６は、スモールセル基地局２３０からのデータを受信する。また、データ受信部６２６は、コアネットワーク２１０からのデータを受信する。データ受信部６２６は、受信したデータをバッファ６２５へ出力する。データ送信部６２７は、バッファ６２５から出力されたデータを移動機２０１へ送信する。
【００７４】
図１Ａ，図１Ｂに示した取得部１２２は、たとえば電波状況監視部６２１によって実現することができる。図１Ａ，図１Ｂに示した制御部１２３は、たとえば閾値管理部６２２、ベアラ管理部６２３、データ管理部６２４、バッファ６２５、データ受信部６２６およびデータ送信部６２７によって実現することができる。
【００７５】
＜スモールセル基地局＞
スモールセル基地局２３０は、ベアラ管理部６３１と、データ受信部６３２と、データ複製部６３３と、データ送信部６３４と、を備える。ベアラ管理部６３１は、マクロセル基地局２２０からベアラ情報要求を受信すると、移動機２０１に関するベアラ情報をマクロセル基地局２２０へ送信する。
【００７６】
また、ベアラ管理部６３１は、マクロセル基地局２２０からベアラ削除通知を受信すると、データ複製の停止を要求するデータ複製停止要求をデータ複製部６３３へ出力する。また、ベアラ管理部６３１は、データ転送を停止したことを示すデータ転送停止応答がデータ複製部６３３から出力されると、データ転送を停止したことを通知するデータ転送停止通知をマクロセル基地局２２０へ送信する。
【００７７】
データ受信部６３２は、コアネットワーク２１０からのデータを受信し、受信したデータをデータ複製部６３３へ出力する。
【００７８】
データ複製部６３３は、データ受信部６３２から出力されたコアネットワーク２１０からの受信データを、移動機２０１へのデータと、マクロセル基地局２２０へのデータと、の２つに複製する。そして、データ複製部６３３は、複製したデータをデータ送信部６３４へ出力する。データ送信部６３４は、データ複製部６３３から出力されたデータを移動機２０１およびマクロセル基地局２２０へ送信する。
【００７９】
＜移動機＞
移動機２０１は、電波状況測定部６０１と、データ受信部６０２と、を備える。電波状況測定部６０１は、たとえば位置登録時などに、通信中の無線信号の受信結果に基づいて電波状況を測定し、電波状況の測定結果をマクロセル基地局２２０へ送信する。また、電波状況測定部６０１は、マクロセル基地局２２０からの電波状況測定指示に基づいて、無線信号の受信結果に基づいて電波状況を測定し、電波状況の測定結果をマクロセル基地局２２０へ送信する。
【００８０】
データ受信部６０２は、マクロセル基地局２２０およびスモールセル基地局２３０からのデータを受信する。
【００８１】
（各基地局のハードウェア構成）
図７Ａは、各基地局のハードウェア構成の一例を示す図である。図７Ｂは、図７Ａに示した各基地局のハードウェア構成における信号の流れの一例を示す図である。マクロセル基地局２２０およびスモールセル基地局２３０のそれぞれは、たとえば図７Ａ，図７Ｂに示す基地局７００により実現することができる。基地局７００は、アンテナ７０１と、アンプ７０２と、プロセッサ７０３と、メモリ７０４と、伝送路インターフェース７０５と、を備える。
【００８２】
アンテナ７０１は、他の無線通信装置（たとえば移動機２０１）から無線送信された信号を受信し、受信した信号をアンプ７０２へ出力する。また、アンテナ７０１は、アンプ７０２から出力された信号を他の無線通信装置へ無線送信する。
【００８３】
アンプ７０２は、アンテナ７０１から出力された信号を増幅してプロセッサ７０３へ出力する。また、アンプ７０２は、プロセッサ７０３から出力された信号を増幅してアンテナ７０１へ出力する。
【００８４】
プロセッサ７０３は、基地局７００の全体の制御を司る。たとえば、プロセッサ７０３は、他の無線通信装置へ送信すべき信号を生成してアンプ７０２へ出力する送信処理を行う。また、プロセッサ７０３は、アンプ７０２から出力された信号の復調や復号などの受信処理を行う。
【００８５】
メモリ７０４には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、メモリ７０４のワークエリアとして使用される。補助メモリは、たとえば磁気ディスク、光ディスク、フラッシュメモリなどの不揮発メモリである。補助メモリには、基地局７００を動作させる各種のプログラムが記憶されている。補助メモリに記憶されたプログラムは、メインメモリにロードされてメモリ７０４によって実行される。
【００８６】
伝送路インターフェース７０５は、たとえば有線によってネットワーク７０６との間で通信を行う通信インターフェースである。たとえば、伝送路インターフェース７０５は、コアネットワーク２１０との間のＳ１インターフェースや基地局間のＸ２インターフェースなどを含む。伝送路インターフェース７０５はプロセッサ７０３によって制御される。
【００８７】
図６Ａ，図６Ｂに示したマクロセル基地局２２０の電波状況監視部６２１、閾値管理部６２２、ベアラ管理部６２３およびデータ管理部６２４は、たとえばアンテナ７０１、アンプ７０２、プロセッサ７０３およびメモリ７０４により実現することができる。図６Ａ，図６Ｂに示したマクロセル基地局２２０のデータ受信部６２６、データ送信部６２７は、たとえばアンテナ７０１、アンプ７０２、プロセッサ７０３およびメモリ７０４により実現することができる。図６Ａ，図６Ｂに示したマクロセル基地局２２０のバッファ６２５は、たとえばプロセッサ７０３およびメモリ７０４（補助メモリ）により実現することができる。
【００８８】
図６Ａ，図６Ｂに示したスモールセル基地局２３０のベアラ管理部６３１、データ受信部６３２、データ複製部６３３およびデータ送信部６３４は、たとえばプロセッサ７０３およびメモリ７０４（メインメモリ）により実現することができる。
【００８９】
（移動機のハードウェア構成）
図８Ａは、移動機のハードウェア構成の一例を示す図である。図８Ｂは、図８Ａに示した移動機のハードウェア構成における信号の流れの一例を示す図である。移動機２０１は、たとえば図８Ａ，図８Ｂに示す移動機８００により実現することができる。移動機８００は、アンテナ８０１と、アンプ８０２と、プロセッサ８０３と、メモリ８０４と、を備える。
【００９０】
アンテナ８０１は、他の無線通信装置（たとえばマクロセル基地局２２０やスモールセル基地局２３０）から無線送信された信号を受信し、受信した信号をアンプ８０２へ出力する。また、アンテナ８０１は、アンプ８０２から出力された信号を他の無線通信装置へ無線送信する。
【００９１】
アンプ８０２は、アンテナ８０１から出力された信号を増幅してプロセッサ８０３へ出力する。また、アンプ８０２は、プロセッサ８０３から出力された信号を増幅してアンテナ８０１へ出力する。
【００９２】
プロセッサ８０３は、移動機８００の全体の制御を司る。たとえば、プロセッサ８０３は、他の無線通信装置へ送信すべき信号を生成してアンプ８０２へ出力する送信処理を行う。また、プロセッサ８０３は、アンプ８０２から出力された信号の復調や復号などの受信処理を行う。
【００９３】
メモリ８０４には、たとえばメインメモリおよび補助メモリが含まれる。メインメモリは、たとえばＲＡＭである。メインメモリは、メモリ８０４のワークエリアとして使用される。補助メモリは、たとえば磁気ディスク、フラッシュメモリなどの不揮発メモリである。補助メモリには、移動機８００を動作させる各種のプログラムが記憶されている。補助メモリに記憶されたプログラムは、メインメモリにロードされてメモリ８０４によって実行される。
【００９４】
図６Ａ，図６Ｂに示した移動機２０１の電波状況測定部６０１およびデータ受信部６０２は、たとえばプロセッサ８０３およびメモリ８０４（メインメモリ）により実現することができる。
【００９５】
（電波状況監視部によって監視される情報）
図９は、電波状況監視部によって監視される情報の一例を示す図である。マクロセル基地局２２０の電波状況監視部は、たとえば図９に示す電波状況監視テーブル９００を管理する。電波状況監視テーブル９００は、項目として、移動機識別子、測定時刻および受信電波強度を含む。
【００９６】
移動機識別子は、対象の移動機の識別子である。測定時刻は、対象の移動機から電波状況の測定結果が送信された時刻である。または、測定時刻は、対象の移動機によって電波状況が測定された時刻などであってもよい。受信電波強度は、対象の移動機によって測定された電波強度［ｄＢ］である。
【００９７】
（電波状況管理動作）
図１０Ａおよび図１０Ｂは、電波状況管理動作の一例を示すシーケンス図である。通信システム２００は、電波状況管理動作として、たとえば図１０Ａ，図１０Ｂに示す各ステップのように動作する。
【００９８】
図１０Ａにおいては、移動機２０１が自発的に電波状況を測定する場合について説明する。まず、移動機２０１の電波状況測定部６０１が、たとえば位置登録時などに、無線信号の受信結果に基づいて電波状況を測定する（ステップＳ１０１１）。
【００９９】
つぎに、電波状況測定部６０１は、ステップＳ１０１１の測定結果をマクロセル基地局２２０へ送信する（ステップＳ１０１２）。ステップＳ１０１２によって送信される測定結果は、たとえば移動機２０１の使用周波数や受信電波強度などを示す情報である。この測定結果には、たとえば３ＧＰＰで規定されているＲＲＣのＭｅａｓｕｒｅｍｅｎｔ  Ｒｅｐｏｒｔなどを用いてもよい。マクロセル基地局２２０の電波状況監視部６２１は、ステップＳ１０１２によって送信された測定結果を、ステップＳ１０１２の時刻（測定時刻）とともに電波状況監視テーブル９００に格納する（たとえば図９参照）。
【０１００】
図１０Ｂにおいては、マクロセル基地局２２０が定期的に移動機２０１の電波状況の測定を指示する場合について説明する。まず、マクロセル基地局２２０の電波状況監視部６２１は、たとえば定期的なタイミングで、移動機２０１に対して電波状況の測定を指示する電波状況測定指示を送信する（ステップＳ１０２１）。ステップＳ１０２１によって送信される電波状況測定指示は、たとえばＲＲＣのＭｅａｓｕｒｅｍｅｎｔ  Ｃｏｎｔｒｏｌである。
【０１０１】
つぎに、移動機２０１の電波状況測定部６０１が、ステップＳ１０２１の電波状況測定指示に基づいて、無線信号の受信結果に基づいて電波状況を測定する（ステップＳ１０２２）。つぎに、電波状況測定部６０１は、ステップＳ１０２３へ移行する。ステップＳ１０２３は、図１０Ａに示したステップＳ１０１２と同様である。
【０１０２】
（ベアラ複製動作）
図１１は、ベアラ複製動作の一例を示すシーケンス図である。通信システム２００は、ベアラ複製動作として、たとえば図１１に示す各ステップのように動作する。
【０１０３】
まず、マクロセル基地局２２０の電波状況監視部６２１が、移動機２０１から送信される電波状況の測定結果を受信する（ステップＳ１１０１）。ステップＳ１１０１は、たとえば図１０Ａに示したステップＳ１０１２や図１０Ｂに示したステップＳ１０２３に対応する。つぎに、電波状況監視部６２１が、ステップＳ１１０１によって受信した測定結果が示す電波状況を閾値管理部６２２へ通知する（ステップＳ１１０２）。
【０１０４】
つぎに、閾値管理部６２２が、ステップＳ１１０２によって通知された電波状況（たとえば受信電波強度）の閾値判定を行う（ステップＳ１１０３）。図１１に示す例では、電波状況が第１閾値未満であったとする。つぎに、閾値管理部６２２が、電波状況が第１閾値未満であった旨の判定結果をベアラ管理部６２３へ出力する（ステップＳ１１０４）。
【０１０５】
つぎに、ベアラ管理部６２３が、スモールセル基地局２３０に対して、移動機２０１に関するベアラ情報を要求するベアラ情報要求を送信する（ステップＳ１１０５）。つぎに、スモールセル基地局２３０のベアラ管理部６３１が、移動機２０１に関するベアラ情報をマクロセル基地局２２０へ送信する（ステップＳ１１０６）。
【０１０６】
ベアラ情報は、たとえば、ＱＣＩ（ＱｏＳ  Ｃｌａｓｓ  Ｉｄｅｎｔｉｆｉｅｒ）などのＱｏＳ（Ｑｕａｌｉｔｙ  ｏｆ  Ｓｅｒｖｉｃｅ）、ＰＤＣＰシーケンス番号、下位レイヤのＲＬＣ（Ｒａｄｉｏ  Ｌｉｎｋ  Ｃｏｎｔｒｏｌ：無線リンク制御）シーケンス番号などを示す情報である。
【０１０７】
つぎに、マクロセル基地局２２０のベアラ管理部６２３が、ステップＳ１１０６によって送信されたベアラ情報に基づいて移動機２０１のベアラ設定を行う（ステップＳ１１０７）。これにより、スモールセル基地局２３０に設定された移動機２０１のベアラがマクロセル基地局２２０に複製される。
【０１０８】
（ベアラ複製後のデータ転送）
図１２は、ベアラ複製後のデータ転送の一例を示すシーケンス図である。図１１に示したベアラ複製動作の後は、通信システム２００において、たとえば図１２に示す各ステップのように、移動機２０１へのデータ転送が行われる。
【０１０９】
まず、コアネットワーク２１０のデータ送信部６１２が、移動機２０１へのデータをスモールセル基地局２３０へ送信する（ステップＳ１２０１）。つぎに、スモールセル基地局２３０のデータ受信部６３２が、ステップＳ１２０１における受信データをデータ複製部６３３へ出力する（ステップＳ１２０２）。つぎに、データ複製部６３３が、データ受信部６３２から出力された受信データのデータ複製を行う（ステップＳ１２０３）。
【０１１０】
つぎに、データ複製部６３３が、データ受信部６３２から出力された受信データ（元データ）をデータ送信部６３４へ出力する（ステップＳ１２０４）。つぎに、データ送信部６３４が、ステップＳ１２０４によって出力された元データを移動機２０１へ送信する（ステップＳ１２０５）。ステップＳ１２０５によって送信された元データは、移動機２０１のデータ受信部６０２によって受信される。
【０１１１】
また、データ複製部６３３が、データ受信部６３２から出力された受信データのステップＳ１２０３による複製データをデータ送信部６３４へ出力する（ステップＳ１２０６）。つぎに、データ送信部６３４が、ステップＳ１２０６によって出力された複製データをマクロセル基地局２２０へ送信する（ステップＳ１２０７）。ステップＳ１２０７によって送信された複製データは、マクロセル基地局２２０のデータ受信部６２６によって受信される。
【０１１２】
（データバッファリング動作）
図１３は、データバッファリング動作の一例を示すシーケンス図である。通信システム２００は、図１２に示したデータ転送を行っている場合に、データバッファリング動作として、たとえば図１３に示す各ステップのように動作する。
【０１１３】
まず、スモールセル基地局２３０のデータ送信部６３４が、複製データをマクロセル基地局２２０へ送信する（ステップＳ１３０１）。ステップＳ１３０１は、たとえば図１２に示したステップＳ１２０７に対応するステップである。
【０１１４】
つぎに、マクロセル基地局２２０のデータ受信部６２６が、ステップＳ１３０１による受信データをバッファ６２５へ出力する（ステップＳ１３０２）。つぎに、バッファ６２５が、ステップＳ１３０２によって出力されたデータのバッファリングを行う（ステップＳ１３０３）。
【０１１５】
一方、移動機２０１およびマクロセル基地局２２０は、たとえば図１０Ｂに示したステップＳ１０２１〜Ｓ１０２３と同様のステップＳ１３０４〜Ｓ１３０６を行っている。ステップＳ１３０６のつぎに、マクロセル基地局２２０の電波状況監視部６２１が、ステップＳ１３０６によって受信した測定結果が示す電波状況を閾値管理部６２２へ通知する（ステップＳ１３０７）。
【０１１６】
つぎに、閾値管理部６２２が、ステップＳ１３０７によって通知された電波状況の閾値判定を行う（ステップＳ１３０８）。図１３に示す例では、電波状況が第２閾値を下回っていなかった（第２閾値以上）とする。つぎに、閾値管理部６２２が、電波状況が第２閾値以上であった旨の判定結果をデータ管理部６２４へ出力する（ステップＳ１３０９）。
【０１１７】
つぎに、データ管理部６２４が、バッファ６２５においてバッファリングされているデータの削除を要求するデータ削除要求をバッファ６２５へ出力する（ステップＳ１３１０）。ステップＳ１３１０によって出力されるデータ削除要求は、たとえば、バッファ６２５においてバッファリングされているデータのうちの、受信時刻がステップＳ１３０６による測定結果の測定時刻以前のデータを削除する要求である。
【０１１８】
つぎに、バッファ６２５が、ステップＳ１３１０によって出力されたデータ削除要求に基づいてバッファリングデータの削除を行う（ステップＳ１３１１）。このように、マクロセル基地局２２０は、ベアラ切替までは、スモールセル基地局２３０から転送されたデータをバッファリングしておく。
【０１１９】
また、マクロセル基地局２２０は、電波状況が第２閾値以上である期間のバッファリングデータについては順次削除する。電波状況が第２閾値以上である期間のバッファリングデータについては、スモールセル基地局２３０から移動機２０１へ到達している可能性が高いため、削除することによってベアラ切替後の伝送効率の向上を図ることができる。また、バッファ６２５の使用量の低減を図ることができる。
【０１２０】
（ベアラ切替動作）
図１４は、ベアラ切替動作の一例を示すシーケンス図である。通信システム２００は、図１２に示したデータ転送を行っている場合に、ベアラ切替動作として、たとえば図１４に示す各ステップのように動作する。
【０１２１】
図１４に示すステップＳ１４０１〜Ｓ１４０５は、図１３に示したステップＳ１３０４〜Ｓ１３０８と同様である。ただし、図１４に示す例では、ステップＳ１４０５において、電波状況が第２閾値を下回った（第２閾値未満）とする。ステップＳ１４０５のつぎに、マクロセル基地局２２０の閾値管理部６２２が、電波状況が第２閾値未満であった旨の判定結果をデータ管理部６２４およびベアラ管理部６２３へ出力する（ステップＳ１４０６）。
【０１２２】
つぎに、データ管理部６２４が、バッファリングデータの送信を要求するデータ送信要求をバッファ６２５へ出力する（ステップＳ１４０７）。つぎに、バッファ６２５が、バッファリングデータをデータ送信部６２７へ出力する（ステップＳ１４０８）。つぎに、データ送信部６２７が、ステップＳ１４０８によって出力されたデータ（バッファリングデータ）を移動機２０１へ送信する（ステップＳ１４０９）。ステップＳ１４０９によって送信されたデータは移動機２０１のデータ受信部６０２によって受信される。
【０１２３】
また、ベアラ管理部６２３が、ベアラ切替を要求するベアラ切替要求をコアネットワーク２１０へ送信する（ステップＳ１４１０）。ステップＳ１４１０によって送信されるベアラ切替要求は、移動機２０１への送信に用いるベアラを、スモールセル基地局２３０のベアラからマクロセル基地局２２０のベアラへ切り替えることを要求するものである。
【０１２４】
つぎに、コアネットワーク２１０のデータ送信部６１２が、移動機２０１へのデータをマクロセル基地局２２０へ送信する（ステップＳ１４１１）。つぎに、マクロセル基地局２２０のデータ受信部６２６が、ステップＳ１４１１によって送信されたデータをバッファ６２５へ出力する（ステップＳ１４１２）。
【０１２５】
つぎに、バッファ６２５が、ステップＳ１４０７までのバッファリングデータの送信が終了し終わるまで、コアネットワーク２１０からのデータのバッファリングを行う（ステップＳ１４１３）。そして、バッファ６２５は、ステップＳ１４０７までのバッファリングデータの送信が終了し終わると、ステップＳ１４１３によってバッファリングされたデータをデータ送信部６２７へ出力する（ステップＳ１４１４）。これにより、コアネットワーク２１０からのデータとバッファリングデータとの順序保証を行うことができる。
【０１２６】
つぎに、データ送信部６２７が、ステップＳ１４１４によって出力されたデータを移動機２０１へ送信する（ステップＳ１４１５）。ステップＳ１４１５によって送信されたデータは移動機２０１のデータ受信部６０２によって受信される。
【０１２７】
また、ステップＳ１４１０において、ベアラ管理部６２３は、スモールセル基地局２３０にもベアラ切替要求を送信してもよい。これに対して、スモールセル基地局２３０は、移動機２０１との間のベアラのために確保している無線リソースを解放する。
【０１２８】
なお、ベアラ切替のタイミングによっては、ステップＳ１４１５によって送信されるデータに、スモールセル基地局２３０から移動機２０１に送信されたデータと重複するデータが含まれる場合がある。これに対して、マクロセル基地局２２０とスモールセル基地局２３０との間で同期済みであるため、移動機２０１は、重複データを選択合成して受信することができる。
【０１２９】
（複製ベアラ解放動作）
図１５は、複製ベアラ解放動作の一例を示すシーケンス図である。通信システム２００は、たとえば図１１に示したベアラ複製動作によって複製したベアラの解放動作として、たとえば図１５に示す各ステップのように動作する。
【０１３０】
図１５に示すステップＳ１５０１〜Ｓ１５０８は、図１３に示したステップＳ１３０１〜Ｓ１３０８と同様である。ただし、図１５に示す例では、ステップＳ１５０８において、電波状況が第３閾値を上回っていた（第３閾値より大きい）とする。つぎに、マクロセル基地局２２０の閾値管理部６２２が、電波状況が第３閾値より大きかった旨の判定結果をベアラ管理部６２３へ出力する（ステップＳ１５０９）。
【０１３１】
つぎに、ベアラ管理部６２３が、ベアラを削除することを通知するベアラ削除通知をスモールセル基地局２３０へ送信する（ステップＳ１５１０）。つぎに、スモールセル基地局２３０のベアラ管理部６３１が、データ複製の停止を要求するデータ複製停止要求をデータ複製部６３３へ出力する（ステップＳ１５１１）。
【０１３２】
つぎに、データ複製部６３３が、データ複製およびデータ転送を停止する（ステップＳ１５１２）。たとえば、データ複製部６３３は、図１２に示したステップＳ１２０３によるデータ複製と、図１２に示したステップＳ１２０６によるデータ転送と、を停止する。
【０１３３】
つぎに、データ複製部６３３が、データ転送を停止したことを示すデータ転送停止応答をベアラ管理部６３１へ出力する（ステップＳ１５１３）。つぎに、ベアラ管理部６３１が、データ転送を停止したことを通知するデータ転送停止通知をマクロセル基地局２２０へ送信する（ステップＳ１５１４）。
【０１３４】
つぎに、マクロセル基地局２２０のベアラ管理部６２３が、複製したベアラを削除する（ステップＳ１５１５）。ステップＳ１５１５によって削除されるベアラは、たとえば図１１に示したステップＳ１１０７によって設定されたベアラである。つぎに、ベアラ管理部６２３が、データ転送を停止したことを通知するデータ転送停止通知をデータ管理部６２４へ送信する（ステップＳ１５１６）。
【０１３５】
つぎに、データ管理部６２４が、バッファリングデータの削除を要求するデータ削除要求をバッファ６２５へ出力する（ステップＳ１５１７）。ステップＳ１５１７によって出力されるデータ削除要求は、たとえば、バッファ６２５においてバッファリングされている、ステップＳ１５１５によって削除されたベアラのすべてのデータを削除する要求である。つぎに、バッファ６２５が、ステップＳ１５１７によって出力されたデータ削除要求に基づいて、バッファリングデータの削除を行う（ステップＳ１５１８）。
【０１３６】
このように、スモールセル基地局２３０での電波状況が改善した場合は、スモールセル基地局２３０からマクロセル基地局２２０へのデータ転送を停止する。これにより、Ｘ２インターフェース２４３のトラヒックの圧迫を抑えることができる。
【０１３７】
（マクロセル基地局による処理）
図１６は、マクロセル基地局による処理の一例を示すフローチャート（その１）である。実施の形態２にかかるマクロセル基地局２２０は、たとえば図１６に示す各ステップを実行する。まず、マクロセル基地局２２０は、電波状況（受信電波強度）の最新の測定結果を読み込む（ステップＳ１６０１）。
【０１３８】
つぎに、マクロセル基地局２２０は、ステップＳ１６０１によって読み込んだ測定結果が示す受信電波強度が第１閾値未満であるか否かを判定する（ステップＳ１６０２）。受信電波強度が第１閾値以上である場合（ステップＳ１６０２：Ｎｏ）は、マクロセル基地局２２０は、ステップＳ１６０１へ戻る。
【０１３９】
ステップＳ１６０２において、受信電波強度が第１閾値未満である場合（ステップＳ１６０２：Ｙｅｓ）は、マクロセル基地局２２０は、スモールセル基地局２３０に設定されている移動機２０１のベアラを自局に複製する（ステップＳ１６０３）。また、マクロセル基地局２２０は、スモールセル基地局２３０から転送されるデータのバッファリングを開始する（ステップＳ１６０４）。
【０１４０】
図１７は、マクロセル基地局による処理の一例を示すフローチャート（その２）である。マクロセル基地局２２０は、図１６に示したステップＳ１６０４の後に、たとえば図１７に示す各ステップを実行する。
【０１４１】
まず、マクロセル基地局２２０は、電波状況（受信電波強度）の最新の測定結果を読み込む（ステップＳ１７０１）。つぎに、マクロセル基地局２２０は、ステップＳ１７０１によって読み込んだ測定結果が示す受信電波強度が第２閾値未満であるか否かを判定する（ステップＳ１７０２）。
【０１４２】
ステップＳ１７０２において、受信電波強度が第２閾値以上である場合（ステップＳ１７０２：Ｎｏ）は、マクロセル基地局２２０は、ステップＳ１７０３へ移行する。すなわち、マクロセル基地局２２０は、図１６のステップＳ１６０４によって開始したバッファリングのバッファリングデータの削除を行い（ステップＳ１７０３）、ステップＳ１７０１へ戻る。ステップＳ１７０３による削除対象のバッファリングデータは、たとえば、バッファリングデータのうちの、ステップＳ１７０１までにスモールセル基地局２３０から送信されたデータである。
【０１４３】
ステップＳ１７０２において、受信電波強度が第２閾値未満である場合（ステップＳ１７０２：Ｙｅｓ）は、マクロセル基地局２２０は、コアネットワーク２１０にベアラ切替要求を送信することによりベアラの切替を行う（ステップＳ１７０４）。ステップＳ１７０４によるベアラの切替は、移動機２０１への送信に用いるベアラを、スモールセル基地局２３０のベアラからマクロセル基地局２２０のベアラへ切り替えるものである。
【０１４４】
つぎに、マクロセル基地局２２０は、スモールセル基地局２３０から転送されてバッファ６２５に格納されているバッファリングデータを移動機２０１へ送信する（ステップＳ１７０５）。つぎに、マクロセル基地局２２０は、ステップＳ１７０４による切替後のベアラのデータ送信を開始する（ステップＳ１７０６）。
【０１４５】
図１８は、マクロセル基地局による処理の一例を示すフローチャート（その３）である。マクロセル基地局２２０は、図１６に示したステップＳ１６０４の後に、図１７に示した各ステップと並行して、たとえば図１８に示す各ステップを実行する。
【０１４６】
まず、マクロセル基地局２２０は、電波状況（受信電波強度）の最新の測定結果を読み込む（ステップＳ１８０１）。つぎに、マクロセル基地局２２０は、ステップＳ１８０１によって読み込んだ測定結果が示す受信電波強度が第３閾値より大きいか否かを判定する（ステップＳ１８０２）。受信電波強度が第３閾値以下である場合（ステップＳ１８０２：Ｎｏ）は、マクロセル基地局２２０は、ステップＳ１８０１へ戻る。
【０１４７】
ステップＳ１８０２において、受信電波強度が第３閾値より大きい場合（ステップＳ１８０２：Ｙｅｓ）は、マクロセル基地局２２０は、図１６のステップＳ１６０３によって自局に複製したベアラの削除を行う（ステップＳ１８０３）。つぎに、マクロセル基地局２２０は、ステップＳ１６０４によって開始したバッファリングのバッファリングデータの削除を行う（ステップＳ１８０４）。
【０１４８】
このように、実施の形態２によれば、移動機２０１におけるスモールセル２３１の電波状況（無線品質）の劣化を検知した場合に、スモールセル２３１で確立している移動機２０１のベアラをマクロセル２２１に複製することができる。そして、移動機２０１におけるスモールセル２３１の無線品質のさらなる劣化を検知した場合に、移動機２０１の通信に使用するベアラを複製ベアラに切り替えることができる。
【０１４９】
これにより、たとえばセル切替時にベアラの移動などを行わなくても、使用するベアラを複製ベアラに切り替えることでセル切替を行うことができる。このため、短時間でのセル切替が可能になり、セル切替時のスループット低下を抑えることができる。
【０１５０】
（実施の形態３）
実施の形態３について、実施の形態２と異なる部分について説明する。実施の形態２においては、移動機２０１におけるスモールセル２３１の電波状況の劣化を検知した場合に、スモールセル２３１で確立している移動機２０１のベアラをマクロセル２２１に複製する構成について説明した。
【０１５１】
これに対して、実施の形態３においては、移動機２０１の移動速度の増加を検知した場合に、スモールセル２３１で確立している移動機２０１のベアラをマクロセル２２１に複製する。これにより、移動機２０１の移動によって移動機２０１におけるスモールセル２３１の電波状況が劣化する前に、移動機２０１のベアラをマクロセル２２１に複製しておくことができる。
【０１５２】
（マクロセル基地局による処理）
図１９は、実施の形態３にかかるマクロセル基地局による処理の一例を示すフローチャート（その１）である。実施の形態３にかかるマクロセル基地局２２０は、たとえば図１９に示す各ステップを実行する。まず、マクロセル基地局２２０は、移動機２０１の速度（端末速度）の最新の測定結果を読み込む（ステップＳ１９０１）。端末速度は、たとえば移動機２０１が測定し、測定結果をマクロセル基地局２２０へ定期的に送信することで取得することができる。
【０１５３】
つぎに、マクロセル基地局２２０は、ステップＳ１９０１によって読み込んだ測定結果が示す端末速度が第１速度閾値より大きいか否かを判定する（ステップＳ１９０２）。端末速度が第１速度閾値以下である場合（ステップＳ１９０２：Ｎｏ）は、マクロセル基地局２２０は、ステップＳ１９０１へ戻る。
【０１５４】
ステップＳ１９０２において、端末速度が第１速度閾値より大きい場合（ステップＳ１９０２：Ｙｅｓ）は、マクロセル基地局２２０は、スモールセル基地局２３０に設定されている移動機２０１のベアラを自局に複製する（ステップＳ１９０３）。また、マクロセル基地局２２０は、スモールセル基地局２３０から転送されるデータのバッファリングを開始する（ステップＳ１９０４）。
【０１５５】
また、実施の形態３にかかるマクロセル基地局２２０は、図１９に示したステップＳ１９０４の後に、たとえば図１７に示した各ステップを実行する。
【０１５６】
図２０は、実施の形態３にかかるマクロセル基地局による処理の一例を示すフローチャート（その２）である。マクロセル基地局２２０は、図１９に示したステップＳ１９０４の後に、図１７に示した各ステップと並行して、たとえば図２０に示す各ステップを実行する。
【０１５７】
まず、マクロセル基地局２２０は、移動機２０１の速度（端末速度）の最新の測定結果を読み込む（ステップＳ２００１）。つぎに、マクロセル基地局２２０は、ステップＳ２００１によって読み込んだ測定結果が示す端末速度が第２速度閾値未満か否かを判定する（ステップＳ２００２）。端末速度が第２速度閾値以上である場合（ステップＳ２００２：Ｎｏ）は、マクロセル基地局２２０は、ステップＳ２００１へ戻る。
【０１５８】
ステップＳ２００２において、端末速度が第２速度閾値未満である場合（ステップＳ２００２：Ｙｅｓ）は、マクロセル基地局２２０は、図１９のステップＳ１９０３によって自局に複製したベアラの削除を行う（ステップＳ２００３）。つぎに、マクロセル基地局２２０は、ステップＳ１９０４によって開始したバッファリングのバッファリングデータの削除を行う（ステップＳ２００４）。
【０１５９】
このように、実施の形態３によれば、移動機２０１の移動速度の増加を検知した場合に、スモールセル２３１で確立している移動機２０１のベアラをマクロセル２２１に複製する。これにより、移動機２０１の移動によって移動機２０１におけるスモールセル２３１の電波状況が劣化する前に、移動機２０１のベアラをマクロセル２２１に複製しておくことができる。
【０１６０】
したがって、たとえばセル切替時にベアラの移動などを行わなくても、使用するベアラを複製ベアラに切り替えることでセル切替を行うことができる。このため、短時間でのセル切替が可能になり、セル切替時のスループット低下を抑えることができる。
【０１６１】
以上説明したように、基地局装置およびシステムによれば、セル切替時のスループットの低下を抑えることができる。
【０１６２】
たとえば、昨今、スマートフォンなどの高機能端末の普及により、モバイル端末を用いて利用するサービスが多様化し、端末ごとの通信量も増加してきている。また、モバイルネットワーク全体でもトラヒックが増加していく見込みである。トラヒック増加への対策の一つとして注目されているのがスモールセルの活用である。スモールセルを用いたネットワークでは、従来のマクロセルに比べ、収容ユーザが少なく、帯域の占有を行うことができ、高スループットを確保することが可能である。
【０１６３】
一方、スモールセルは、マクロセルに比べてカバーエリアが狭いため、移動機の移動に伴い、スモールセルからのハンドアウトが多発し、スモールセル経由で送信していたデータは受信不可になる。そのため、通常のハンドオーバと同様にスモールセルに対してのみハンドオーバを行う（マクロセルは通信を継続）ことが求められる。
【０１６４】
これに対して、上述した実施の形態によれば、マクロセルの通信を維持したまま、スモールセルからのハンドアウトに対し、スモールセルで通信していたデータを確実に移動機に届ける仕組みを提供することができる。
【０１６５】
また、通常のＬＴＥにおけるハンドオーバの場合は、Ｓ１インターフェースまたはＸ２インターフェースを用いてハードハンドオーバが行われる。その際、送信データを一度ハンドオーバ元でバッファし、ハンドオーバ完了後にハンドオーバ先へと転送される。そのため、ハンドオーバ実施時には一時的にスループットが低下する。
【０１６６】
一方、３ＧにおけるＤＨＯ（Ｄｉｖｅｒｓｉｔｙ  Ｈａｎｄ  Ｏｖｅｒ：基地局間ハンドオーバ）では、データ送信を止めずにハンドオーバを実施しているが、ハンドオーバ元やハンドオーバ先の双方で一時的に同一データの送信を行っている。このため、上位ネットワークや無線区間の負荷増加が発生する。
【０１６７】
これに対して、上述した実施の形態によれば、マクロセルで管理しているスモールセルの電波状況が悪化した場合に、マクロセルにスモールセルと同じベアラを予め設定することができる。これにより、スモールセルからマクロセルへのハンドオーバの際に、ハンドオーバ元でのデータバッファリングや同一データの無線区間への送信をなくし、スループット低下や無線区間の負荷増加を回避することができる。
【０１６８】
このため、たとえば、異ノード、異周波数による同時通信を行っている環境下での、スモールセルからマクロセルへのハンドオーバにおいて、スループット低下や、上位ネットワークや無線区間の負荷を回避することが可能になる。
【０１６９】
上述した実施の形態に関し、さらに以下の付記を開示する。
【０１７０】
（付記１）第１セルおよび第２セルに接続し前記第１セルに設定された第１ベアラによって通信を行う端末装置における測定結果を示す測定報告を取得する取得部と、
前記取得部によって取得された前記測定報告に基づいて、前記測定報告が第１条件を満たすと前記第１ベアラを複製した第２ベアラを前記第２セルに設定し、前記測定報告が前記第１条件とは異なる第２条件を満たすと前記端末装置の通信のベアラを前記第１ベアラから前記第２ベアラに切り替える制御部と、
を備えることを特徴とする基地局装置。
【０１７１】
（付記２）前記取得部が取得する前記端末装置からの測定報告には、前記端末装置における前記第１セルの無線品質に関する情報が含まれており、
前記制御部は、前記無線品質が第１所定値を下回ると前記第１ベアラを複製した第２ベアラを前記第２セルに設定し、前記無線品質が前記第１所定値より低い第２所定値を下回ると前記端末装置の通信のベアラを前記第１ベアラから前記第２ベアラに切り替える、
ことを特徴とする付記１に記載の基地局装置。
【０１７２】
（付記３）前記取得部が取得する前記端末装置からの測定報告には、前記第１セルに設定された前記第１ベアラによって通信を行う端末装置の移動速度に関する情報、および前記端末装置における前記第１セルの無線品質に関する情報が含まれており、
前記制御部は、前記移動速度が所定速度を上回ると前記第１ベアラを複製した第２ベアラを前記第２セルに設定し、前記無線品質が所定値を下回ると前記端末装置の通信のベアラを前記第１ベアラから前記第２ベアラに切り替える、
ことを特徴とする付記１に記載の基地局装置。
【０１７３】
（付記４）前記制御部は、
前記無線品質が前記第１所定値を下回ると、前記第１セルが前記第１ベアラで前記端末装置へ送信するデータの複製データを前記第１セルの基地局装置から前記第２セルの基地局装置へ送信させ、前記第２セルの基地局に前記複製データをバッファリングさせ、
前記無線品質が前記第２所定値を下回ると、前記複製データを前記第２ベアラで前記第２セルの基地局装置から前記端末装置へ送信させる、
ことを特徴とする付記２に記載の基地局装置。
【０１７４】
（付記５）前記制御部は、前記端末装置の通信のベアラを前記第２ベアラに切り替えた後に、前記第２セルの基地局に対して、他の通信装置から受信した前記端末装置へのデータをバッファリングしながら前記複製データを前記第２ベアラで送信させ、前記複製データの送信が完了した後に、バッファリングした前記端末装置へのデータを前記第２ベアラで送信させることを特徴とする付記４に記載の基地局装置。
【０１７５】
（付記６）前記制御部は、前記端末装置の通信のベアラを前記第２ベアラに切り替えた後に、前記複製データのうちの、前記無線品質が前記第２所定値を下回っていなかった時点までの複製データを前記第２ベアラで前記端末装置へ送信させることを特徴とする付記４または５に記載の基地局装置。
【０１７６】
（付記７）前記制御部は、前記無線品質が前記第１所定値を下回り前記第２所定値を下回っていない場合は、前記第２セルの基地局がバッファリングしている前記複製データを削除させることを特徴とする付記６に記載の基地局装置。
【０１７７】
（付記８）前記制御部は、前記無線品質が前記第１所定値を下回った後に前記第１所定値以上の第３所定値を上回ると、前記第２ベアラを削除することを特徴とする付記２、４〜７のいずれか一つに記載の基地局装置。
【０１７８】
（付記９）前記制御部は、前記無線品質が前記第１所定値を下回った後に前記第１所定値以上の第３所定値を上回ると、前記第１セルの基地局装置から前記第２セルの基地局装置への前記複製データの送信を停止させることを特徴とする付記４〜７のいずれか一つに記載の基地局装置。
【０１７９】
（付記１０）前記基地局装置は前記第２セルの基地局装置であることを特徴とする付記１〜９のいずれか一つに記載の基地局装置。
【０１８０】
（付記１１）第１セルおよび第２セルに接続し前記第１セルに設定された第１ベアラによって通信を行う端末装置と、
前記端末装置における測定結果が第１条件を満たすと前記第１ベアラを複製した第２ベアラを前記第２セルに設定し、前記測定結果が前記第１条件とは異なる第２条件を満たすと前記端末装置の通信のベアラを前記第１ベアラから前記第２ベアラに切り替える基地局装置と、
を含むことを特徴とするシステム。
【符号の説明】
【０１８１】
１００  システム
１０１  端末装置
１１０  第１基地局装置
１１１  第１セル
１２０  第２基地局装置
１２１  第２セル
１２２  取得部
１２３  制御部
２００  通信システム
２０１，８００  移動機
２１０  コアネットワーク
２１１  上位装置
２２０  マクロセル基地局
２２１  マクロセル
２３０  スモールセル基地局
２３１  スモールセル
２４１，２４２  Ｓ１インターフェース
２４３  Ｘ２インターフェース
２５１，２５２  ＲＲＣ
３３０  プロトコルスタック
５０１〜５０３  電波状況変化
６０１  電波状況測定部
６０２，６２６，６３２  データ受信部
６１１，６２３，６３１  ベアラ管理部
６１２，６２７，６３４  データ送信部
６２１  電波状況監視部
６２２  閾値管理部
６２４  データ管理部
６２５  バッファ
６３３  データ複製部
７００  基地局
７０１，８０１  アンテナ
７０２，８０２  アンプ
７０３，８０３  プロセッサ
７０４，８０４  メモリ
７０５  伝送路インターフェース
７０６  ネットワーク
９００  電波状況監視テーブル
【国際調査報告】
2015177846.tif 000031
2015177846.tif 000032
2015177846.tif 000033
2015177846.tif 000034